(57)【特許請求の範囲】
【請求項１】
移動管理ネットワーク要素が、グループユーザデバイスのゲートウェイ機器情報及びグループ数情報を取得することと、
前記移動管理ネットワーク要素が、前記グループユーザデバイスのグループ情報の変化を取得することと、
前記移動管理ネットワーク要素が、前記グループユーザデバイスの前記ゲートウェイ機器情報及び前記グループ数情報にしたがって且つグループ粒度に基づいて、ゲートウェイ機器に、同一の移動管理ネットワーク要素情報とゲートウェイ情報とグループ数情報とを有するグループユーザデバイスのコンテクストに対して及びゲートウェイ機器に対してベアラ変更処理を実行するように命令することと、
前記移動管理ネットワーク要素が、前記同一の移動管理ネットワーク要素情報とゲートウェイ情報とグループ数情報とを有するグループユーザデバイスのコンテクストに対して及び前記移動管理ネットワーク要素に対して前記ベアラ変更処理を実行することと、
を備えるＭ２Ｍアプリケーションに基づいたセッション管理方法。
【請求項２】
前記移動管理ネットワーク要素が、前記グループユーザデバイスの前記ゲートウェイ機器情報及び前記グループ数情報を取得することは、
前記移動管理ネットワーク要素が、前記グループユーザデバイスによって送信されたアクセスリクエストメッセージを受信することと、
前記移動管理ネットワーク要素が、前記グループユーザデバイスの移動管理ネットワーク要素情報及び前記グループ数情報を備える作成したリクエストメッセージを前記ゲートウェイ機器に送信することと、
前記移動管理ネットワーク要素が、前記ゲートウェイ機器によって返信された前記グループユーザデバイスの前記ゲートウェイ機器情報及び前記グループ数情報を受信することと、
を備える請求項１に記載の方法。
【請求項３】
前記移動管理ネットワーク要素が、前記グループユーザデバイスの前記移動管理ネットワーク要素情報及び前記グループ数情報を備える前記作成したリクエストメッセージを前記ゲートウェイ機器に送信することと、前記移動管理ネットワーク要素が、前記ゲートウェイ機器によって返信された前記グループユーザデバイスの前記ゲートウェイ機器情報及び前記グループ数情報を受信することとは、
前記移動管理ネットワーク要素が、作成したリクエストメッセージをサービングゲートウェイに送信することであって、前記移動管理ネットワーク要素によって送信される前記作成したリクエストメッセージは、前記グループユーザデバイスの前記移動管理ネットワーク要素情報及び前記グループ数情報を備える、前記送信することと、
前記サービングゲートウェイが、作成したリクエストメッセージをパケットデータネットワークゲートウェイに送信することであって、前記サービングゲートウェイによって送信される前記作成したリクエストメッセージは、前記グループユーザデバイスのサービングゲートウェイ情報と、前記移動管理ネットワーク要素情報と、前記グループ数情報とを備える、前記送信することと、
前記パケットデータネットワークゲートウェイが、作成した応答メッセージを前記サービングゲートウェイに送信することであって、前記パケットデータネットワークゲートウェイによって送信される前記作成した応答メッセージは、前記グループユーザデバイスのパケットデータネットワークゲートウェイ情報及び前記グループ数情報を備える、前記送信することと、
前記サービングゲートウェイが、作成した応答メッセージを前記移動管理ネットワーク要素に送信することであって、前記サービングゲートウェイによって送信される前記作成した応答メッセージは、前記グループユーザデバイスの前記サービングゲートウェイ情報と、パケットデータゲートウェイ情報と、前記グループ数情報とを備える、前記送信することと
を備える請求項２に記載の方法。
【請求項４】
前記移動管理ネットワーク要素が、前記グループユーザデバイスの前記ゲートウェイ機器情報及び前記グループ数情報にしたがって且つグループ粒度に基づいて、前記ゲートウェイ機器に、前記同一の移動管理ネットワーク要素情報とゲートウェイ情報とグループ数情報とを有するグループユーザデバイスのコンテクストに対して及びゲートウェイ機器に対して前記ベアラ変更処理を実行するように命令することは、
前記移動管理ネットワーク要素が、前記グループユーザデバイスのサービングゲートウェイ情報と、パケットデータネットワークゲートウェイ情報と、前記グループ数情報とにしたがって、変更リクエストメッセージをサービングゲートウェイに送信することであって、前記移動管理ネットワーク要素によって送信される前記変更リクエストメッセージは、前記グループユーザデバイスの移動管理ネットワーク要素情報と、前記パケットデータネットワークゲートウェイ情報と、前記グループ数情報とを備える、前記送信することと、
前記サービングゲートウェイが変更リクエストメッセージをパケットデータネットワークゲートウェイに送信することであって、前記サービングゲートウェイによって送信される前記変更リクエストメッセージは、前記グループユーザデバイスの前記サービングゲートウェイ情報と、前記移動管理ネットワーク要素情報と、前記グループ数情報とを備える、前記送信することと、
前記パケットデータネットワークゲートウェイが、前記サービングゲートウェイによって送信された前記変更リクエストメッセージにしたがって、前記グループユーザデバイスの前記移動管理ネットワーク要素情報と、前記サービングゲートウェイ情報と、前記パケットデータネットワークゲートウェイ情報と、前記グループ数情報とを取得して、前記取得した情報にしたがって、前記グループユーザデバイスのコンテクストに対してベアラ変更処理を実行することと、
を備える請求項１に記載の方法。
【請求項５】
前記移動管理ネットワーク要素が、前記同一の移動管理ネットワーク要素情報とゲートウェイ情報とグループ数情報とを有するグループユーザデバイスのコンテクストに対して及び前記移動管理ネットワーク要素に対して前記ベアラ変更処理を実行することは、
パケットデータネットワークゲートウェイが変更応答メッセージをサービングゲートウェイに送信することであって、前記パケットデータネットワークゲートウェイによって送信される前記変更応答メッセージは、前記グループユーザデバイスのパケットデータネットワークゲートウェイ情報と、移動管理ネットワーク要素情報と、前記グループ数情報とを備える、前記送信することと、
前記サービングゲートウェイが変更応答メッセージを前記移動管理ネットワーク要素に送信することであって、前記サービングゲートウェイによって送信される前記変更応答メッセージは、前記グループユーザデバイスのサービングゲートウェイ情報と、前記パケットデータネットワークゲートウェイ情報と、前記グループ数情報とを備える、前記送信することと、
前記移動管理ネットワーク要素が、前記サービングゲートウェイによって送信された前記変更応答メッセージにしたがって、前記グループユーザデバイスの前記移動管理ネットワーク要素情報と、前記サービングゲートウェイ情報と、前記パケットデータネットワークゲートウェイ情報と、前記グループ数情報とを取得し、前記取得した情報にしたがって、前記グループユーザデバイスのコンテクストに対してベアラ変更処理を実行することと、
を備える請求項１に記載の方法。
【請求項６】
前記移動管理ネットワーク要素が前記グループユーザデバイスの前記移動管理ネットワーク要素情報及び前記グループ数情報を備える前記作成したリクエストメッセージを前記ゲートウェイ機器に送信することと、前記移動管理ネットワーク要素が、前記ゲートウェイ機器によって返信された前記グループユーザデバイスの前記ゲートウェイ機器情報及び前記グループ数情報を受信することとは、
前記移動管理ネットワーク要素が、作成したリクエストメッセージをゲートウェイＧＰＲＳサポートノードに送信することであって、前記移動管理ネットワーク要素によって送信される前記作成したリクエストメッセージは、前記グループユーザデバイスの前記移動管理ネットワーク要素情報及び前記グループ数情報を備える、前記送信することと、
前記ゲートウェイＧＰＲＳサポートノードが、作成した応答メッセージを前記移動管理ネットワーク要素に送信することであって、前記ゲートウェイＧＰＲＳサポートノードによって送信される前記作成した応答メッセージは、前記グループユーザデバイスのゲートウェイＧＰＲＳサポートノード情報及び前記グループ数情報を備える、前記送信することと、
を備える請求項２に記載の方法。
【請求項７】
前記移動管理ネットワーク要素が、前記グループユーザデバイスの前記ゲートウェイ機器情報及び前記グループ数情報にしたがって且つグループ粒度に基づいて、前記ゲートウェイ機器に、前記同一の移動管理ネットワーク要素情報とゲートウェイ情報とグループ数情報とを有するグループユーザデバイスのコンテクストに対して及びゲートウェイ機器前記ベアラ変更処理を実行するように命令することは、
前記移動管理ネットワーク要素が、前記グループユーザデバイスの移動管理ネットワーク要素情報及び前記グループ数情報にしたがって、変更リクエストメッセージをゲートウェイＧＰＲＳサポートノードに送信することであって、前記移動管理ネットワーク要素によって送信される前記変更リクエストメッセージは、前記グループユーザデバイスの前記移動管理ネットワーク要素情報及び前記グループ数情報を備える、前記送信することと、
前記ゲートウェイＧＰＲＳサポートノードが、前記移動管理ネットワーク要素によって送信された前記変更リクエストメッセージにしたがって、前記グループユーザデバイスの前記移動管理ネットワーク要素情報と、ゲートウェイＧＰＲＳサポートノード情報と、前記グループ数情報とを取得し、前記取得した情報にしたがって、前記グループユーザデバイスのコンテクストに対してＰＤＰコンテクスト変更処理を実行することと、
を備える請求項１に記載の方法。
【請求項８】
前記移動管理ネットワーク要素が、前記同一の移動管理ネットワーク要素情報とゲートウェイ情報とグループ数情報とを有するグループユーザデバイスのコンテクストに対して及び前記移動管理ネットワーク要素に対して前記ベアラ変更処理を実行することは、
ゲートウェイＧＰＲＳサポートノードが変更応答メッセージを前記移動管理ネットワーク要素に送信することであって、前記ゲートウェイＧＰＲＳサポートノードによって送信される前記変更応答メッセージは、ゲートウェイＧＰＲＳサポートノード情報及び前記グループ数情報を備える、前記送信することと、
前記移動管理ネットワーク要素が、前記ゲートウェイＧＰＲＳサポートノードによって送信された前記変更応答メッセージにしたがって、前記グループユーザデバイスの移動管理ネットワーク要素情報と、前記ゲートウェイＧＰＲＳサポートノード情報と、前記グループ数情報とを取得し、前記取得した情報にしたがって、前記グループユーザデバイスのコンテクストに対してＰＤＰコンテクスト変更処理を実行することと、
を備える、請求項１に記載の方法。
【請求項９】
ゲートウェイ機器が、グループユーザデバイスの移動管理ネットワーク要素情報及びグループ数情報を取得することと、
前記ゲートウェイ機器が、前記グループユーザデバイスのグループ情報の変化を取得することと、
前記ゲートウェイ機器が、前記グループユーザデバイスの前記移動管理ネットワーク要素情報及び前記グループ数情報にしたがって且つグループ粒度に基づいて、移動管理ネットワーク要素に、同一の移動管理ネットワーク要素情報とゲートウェイ情報とグループ数情報とを有するグループユーザデバイスのコンテクストに対して及び前記移動管理ネットワーク要素に対してベアラ変更処理を実行するように命令することと、
前記ゲートウェイ機器が、前記同一の移動管理ネットワーク要素情報とゲートウェイ情報とグループ数情報とを有するグループユーザデバイスのコンテクストに対して及び前記ゲートウェイ機器に対して前記ベアラ変更処理を実行することと、
を備えるＭ２Ｍアプリケーションに基づいたセッション管理方法。
【請求項１０】
前記ゲートウェイ機器が、前記グループユーザデバイスの前記移動管理ネットワーク要素情報及び前記グループ数情報を取得することは、
前記移動管理ネットワーク要素が、前記グループユーザデバイスによって送信されたアクセスリクエストメッセージを受信することと、
前記ゲートウェイ機器が、前記移動管理ネットワーク要素によって送信された前記グループユーザデバイスの前記移動管理ネットワーク要素情報及び前記グループ数情報を受信することと、
前記ゲートウェイ機器が、前記グループユーザデバイスのゲートウェイ機器情報及び前記グループ数情報を備える作成した応答メッセージを前記移動管理ネットワーク要素に送信することと、
を備える請求項９に記載の方法。
【請求項１１】
前記ゲートウェイ機器が、前記移動管理ネットワーク要素によって送信された前記グループユーザデバイスの前記移動管理ネットワーク要素情報及び前記グループ数情報を受信することと、前記ゲートウェイ機器が、前記グループユーザデバイスの前記ゲートウェイ機器情報及び前記グループ数情報を備える前記応答メッセージを前記移動管理ネットワーク要素に送信することとは、
前記移動管理ネットワーク要素が、作成したリクエストメッセージをサービングゲートウェイに送信することであって、前記移動管理ネットワーク要素によって送信される前記作成したリクエストメッセージは、前記グループユーザデバイスの前記移動管理ネットワーク要素情報及び前記グループ数情報を備える、前記送信することと、
前記サービングゲートウェイが、作成したリクエストメッセージをパケットデータネットワークゲートウェイに送信することであって、前記サービングゲートウェイによって送信される前記作成したリクエストメッセージは、前記グループユーザデバイスのサービングゲートウェイ情報と、前記移動管理ネットワーク要素情報と、前記グループ数情報とを備える、前記送信することと、
前記パケットデータネットワークゲートウェイが、作成した応答メッセージを前記サービングゲートウェイに送信することであって、前記パケットデータネットワークゲートウェイによって送信される前記作成した応答メッセージは、前記グループユーザデバイスのパケットデータネットワークゲートウェイ情報及び前記グループ数情報を備える、前記送信することと、
前記サービングゲートウェイが、作成した応答メッセージを前記移動管理ネットワーク要素に送信することであって、前記サービングゲートウェイによって送信される前記作成した応答メッセージは、前記グループユーザデバイスの前記サービングゲートウェイ情報と、前記パケットデータネットワークゲートウェイ情報と、前記グループ数情報とを備える、前記送信することと、
を備える請求項１０に記載の方法。
【請求項１２】
前記ゲートウェイ機器が、前記グループユーザデバイスの前記移動管理ネットワーク要素情報及び前記グループ数情報にしたがって且つグループ粒度に基づいて、前記移動管理ネットワーク要素に前記同一の移動管理ネットワーク要素情報とゲートウェイ情報とグループ数情報とを有するグループユーザデバイスのコンテクストに対して及び前記移動管理ネットワーク要素に対して前記ベアラ変更処理を実行するように命令することは、
パケットデータネットワークゲートウェイが、前記グループユーザデバイスのサービングゲートウェイ情報と、前記移動管理ネットワーク要素情報と、前記グループ数情報とにしたがって、変更リクエストメッセージをサービングゲートウェイに送信することであって、前記パケットデータネットワークゲートウェイによって送信される前記変更リクエストメッセージは、前記グループユーザデバイスの前記移動管理ネットワーク要素情報と、パケットデータネットワークゲートウェイ情報と、前記グループ数情報とを備える、前記送信することと、
前記サービングゲートウェイが変更リクエストメッセージを前記移動管理ネットワーク要素に送信することであって、前記サービングゲートウェイによって送信される前記変更リクエストメッセージは、前記グループユーザデバイスの前記サービングゲートウェイ情報と、前記パケットデータネットワークゲートウェイ情報と、前記グループ数情報とを備える、前記送信することと、
前記移動管理ネットワーク要素が、前記サービングゲートウェイによって送信された前記変更リクエストメッセージにしたがって、前記グループユーザデバイスの前記移動管理ネットワーク要素情報と、前記サービングゲートウェイ情報と、前記パケットデータネットワークゲートウェイ情報と、前記グループ数情報とを取得し、前記取得した情報にしたがって、前記グループユーザデバイスのコンテクストに対してベアラ変更処理を実行することと、
を備える請求項９に記載の方法。
【請求項１３】
前記ゲートウェイ機器が、前記同一の移動管理ネットワーク要素情報とゲートウェイ情報とグループ数情報とを有するグループユーザデバイスのコンテクストに対して及び前記ゲートウェイ機器に対して前記ベアラ変更処理を実行することは、
前記移動管理ネットワーク要素が変更応答メッセージをサービングゲートウェイに送信することであって、前記移動管理ネットワーク要素によって送信される前記変更応答メッセージは、前記グループユーザデバイスの前記移動管理ネットワーク要素情報と、パケットデータネットワークゲートウェイ情報と、前記グループ数情報とを備える、前記送信することと、
前記サービングゲートウェイが変更応答メッセージをパケットデータネットワークゲートウェイに送信することであって、前記サービングゲートウェイによって送信される前記変更応答メッセージは、前記グループユーザデバイスのサービングゲートウェイ情報と、前記移動管理ネットワーク要素情報と、前記グループ数情報とを備える、前記送信することと、
前記パケットデータネットワークゲートウェイが、前記サービングゲートウェイによって送信された前記変更応答メッセージにしたがって、前記グループユーザデバイスの前記移動管理ネットワーク要素情報と、前記サービングゲートウェイ情報と、パケットデータネットワークゲートウェイ情報と、前記グループ数情報とを取得し、前記取得した情報にしたがって、前記グループユーザデバイスのコンテクストに対してベアラ変更処理を実行することと、
を備える請求項９に記載の方法。
【請求項１４】
前記ゲートウェイ機器が、前記移動管理ネットワーク要素によって送信された前記グループユーザデバイスの前記移動管理ネットワーク要素情報及び前記グループ数情報を受信することと、前記ゲートウェイ機器が、前記グループユーザデバイスの前記ゲートウェイ機器情報及び前記グループ数情報を備える前記作成した応答メッセージを前記移動管理ネットワーク要素に送信することとは、
前記移動管理ネットワーク要素が、作成したリクエストメッセージをゲートウェイＧＰＲＳサポートノードに送信することであって、前記移動管理ネットワーク要素によって送信される前記作成したリクエストメッセージは、前記グループユーザデバイスの前記移動管理ネットワーク要素情報及び前記グループ数情報を備える、前記送信することと、
前記ゲートウェイＧＰＲＳサポートノードが、作成した応答メッセージを前記移動管理ネットワーク要素に送信することであって、前記ゲートウェイＧＰＲＳサポートノードによって送信される前記作成した応答メッセージは、前記グループユーザデバイスのゲートウェイＧＰＲＳサポートノード情報及び前記グループ数情報を備える、前記送信することと、
を備える請求項１０に記載の方法。
【請求項１５】
前記ゲートウェイ機器が、前記グループユーザデバイスの前記移動管理ネットワーク要素情報及び前記グループ数情報にしたがって且つグループ粒度に基づいて、前記移動管理ネットワーク要素に、前記同一の移動管理ネットワーク要素情報とゲートウェイ情報とグループ数情報とを有するグループユーザデバイスのコンテクストに対して及び前記ゲートウェイ機器に対して前記ベアラ変更処理を実行するように命令することは、
ゲートウェイＧＰＲＳサポートノードが、前記グループユーザデバイスの前記移動管理ネットワーク要素情報及び前記グループ数情報にしたがって、変更リクエストメッセージを前記移動管理ネットワーク要素に送信することであって、前記ゲートウェイＧＰＲＳサポートノードによって送信される前記変更リクエストメッセージは、前記グループユーザデバイスのゲートウェイＧＰＲＳサポートノード情報及び前記グループ数情報を備える、前記送信することと、
前記移動管理ネットワーク要素が、前記ゲートウェイＧＰＲＳサポートノードによって送信された前記変更リクエストメッセージにしたがって、前記グループユーザデバイスの前記移動管理ネットワーク要素情報と、前記ゲートウェイＧＰＲＳサポートノード情報と、前記グループ数情報とを取得し、前記取得した情報にしたがって、前記グループユーザデバイスのコンテクストに対してＰＤＰコンテクスト変更処理を実行することと、
を備える請求項９に記載の方法。
【請求項１６】
前記ゲートウェイ機器が、前記同一の移動管理ネットワーク要素情報とゲートウェイ情報とグループ数情報とを有するグループユーザデバイスのコンテクストに対して及び前記ゲートウェイ機器に対して前記ベアラ変更処理を実行することは、
前記移動管理ネットワーク要素が、変更応答メッセージをゲートウェイＧＰＲＳサポートノードに送信することであって、前記移動管理ネットワーク要素によって送信される前記変更応答メッセージは、前記グループユーザデバイスの前記移動管理ネットワーク要素情報及び前記グループ数情報を備える、前記送信することと、
前記ゲートウェイＧＰＲＳサポートノードが、前記移動管理ネットワーク要素によって送信された前記変更応答メッセージにしたがって、前記グループユーザデバイスの前記移動管理ネットワーク要素情報と、ゲートウェイＧＰＲＳサポートノード情報と、前記グループ数情報とを取得し、前記取得した情報にしたがって、前記グループユーザデバイスのコンテクストに対してＰＤＰコンテクスト変更処理を実行することと、
を備える請求項９に記載の方法。
【請求項１７】
第１の取得部と、第２の取得部と、第１の命令部と、第１の実行部と、を備える移動管理ネットワーク要素であって、
前記第１の取得部は、グループユーザデバイスのゲートウェイ機器情報及びグループ数情報を取得するように構成されており、
前記第２の取得部は、前記グループユーザデバイスのグループ情報の変化を取得するように構成されており、
前記第１の命令部は、前記グループユーザデバイスの前記ゲートウェイ機器情報及び前記グループ数情報にしたがって且つグループ粒度に基づいて、ゲートウェイ機器に、同一の移動管理ネットワーク要素情報とゲートウェイ情報とグループ数情報とを有するグループユーザデバイスのコンテクストに対して及び前記ゲートウェイ機器に対してベアラ変更処理を実行するように命令するように構成されており、
前記第１の実行部は、前記同一の移動管理ネットワーク要素情報とゲートウェイ情報とグループ数情報とを有するグループユーザデバイスのコンテクストに対して及び前記移動管理ネットワーク要素に対して前記ベアラ変更処理を実行するように構成されている、
移動管理ネットワーク要素。
【請求項１８】
第３の取得部と、第４の取得部と、第２の命令部と、第２の実行部と、を備えるゲートウェイ機器であって、
前記第３の取得部は、グループユーザデバイスの移動管理ネットワーク要素情報及びグループ数情報を取得するように構成されており、
前記第４の取得部は、前記グループユーザデバイスのグループ情報の変化を取得するように構成されており、
前記第２の命令部は、前記グループユーザデバイスの前記移動管理ネットワーク要素情報及び前記グループ数情報にしたがって且つグループ粒度に基づいて、移動管理ネットワーク要素に、同一の移動管理ネットワーク要素情報とゲートウェイ情報とグループ数情報とを有するグループユーザデバイスのコンテクストに対して及び前記移動管理ネットワーク要素に対してベアラ変更処理を実行するように命令するように構成されており、
前記第２の実行部は、前記同一の移動管理ネットワーク要素情報とゲートウェイ情報とグループ数情報とを有するグループユーザデバイスのコンテクストに対して及び前記ゲートウェイ機器に対して前記ベアラ変更処理を実行するように構成されている、
ゲートウェイ機器。
【発明の詳細な説明】
【技術分野】
【０００１】
本発明は、モバイル通信技術、特に、Ｍ２Ｍアプリケーションに基づいたセッション管理方法、システム及び装置の分野に関する。
【背景技術】
【０００２】
既存の通信方法においては、主として２つの通信方法、つまり、人対人（Ｈ２Ｈ、Ｈｕｍａｎ  ｔｏ  Ｈｕｍａｎ）及びマシーン対マシーン（Ｍ２Ｍ、Ｍａｃｈｉｎｅ  ｔｏ  Ｍａｃｈｉｎｅ）がある。Ｈ２Ｈアプリケーションは主として、電話通信などの、人が通信対象である通信のことである。しかし、Ｍ２Ｍアプリケーションは、マシーンタイプ通信（ＭＴＣ）アプリケーションとも称され、トラヒック制御及び管理、ファクトリ機器監視、及びリモートメータ読み取りなどの、人の関与なしに複数のネットワーク要素間で実行されるネットワーク通信のことである。
【０００３】
さらに、ある産業におけるネットワークオペレータやユーザは、Ｍ２Ｍグループ全体に対する管理及び制御を実行し得る。例えば、電力産業におけるリモートメータ読み取りにおいて、特定の領域におけるすべての電気メータは１つのグループを形成し、ネットワークオペレータや電力産業のユーザは、このグループ全体に対する管理及び制御を実行し得る。加えて、当該産業におけるネットワークオペレータやユーザは、同一のＭ２Ｍアプリケーション特徴を有するすべてのＭ２Ｍユーザデバイス全体に対する管理及び制御を実行し得る。例えば、ある産業におけるネットワークオペレータやユーザは、（グループを形成することによって）同一の産業ユーザのもとにある複数のＭ２Ｍユーザデバイス全体に対する管理及び制御を実行し得る。このグループにおける各Ｍ２Ｍ端末デバイスは、同一の加入データに登録してもよく、又は、このグループにおける各Ｍ２Ｍ端末デバイスは、１つの加入データ（グループ加入データ）を共有してもよい。
【０００４】
人対人通信モードにおいて、ユーザの加入データが変化すると、ホーム加入データベース（ＨＬＲ／ＨＳＳ）が加入データ修正手順を開始する。取得された新たな加入データにしたがって、移動管理ネットワーク要素（ＭＭＥ／ＳＧＳＮ）は、セッション管理手順、例えば、ベアラ修正手順を開始してもよい。Ｍ２Ｍユーザデバイスから形成されるグループについて、加入データが変化すると、このグループにおける全ユーザデバイスの加入データが変化することもあり、あるいは、１つのグループにおける全ユーザデバイスがグループ加入データを共有しているというシナリオにおいては、グループ加入データが変化すると、既存のセッション管理手順がユーザデバイス粒度に基づいて開始されるが、しかし、グループ内のユーザデバイス数が多いため、ネットワーク側に多数のシグナリングオーバーヘッドがもたらされ、これは、ネットワーク側のシグナリング輻輳を招き、ネットワーク負荷を増大させることがある。
【発明の概要】
【発明が解決しようとする課題】
【０００５】
したがって、本発明の実施形態は、Ｍ２Ｍグループに対する管理が実行される場合にネットワークリソースの合理的利用を実現し、ネットワーク負荷を削減するための、Ｍ２Ｍアプリケーションに基づいたセッション管理方法、システム及び装置を提供する。
【０００６】
本発明の実施形態は以下のように実現される。
【課題を解決するための手段】
【０００７】
本発明の実施形態は、Ｍ２Ｍアプリケーションに基づいたセッション管理方法を提供し、該方法は、
グループユーザデバイスのゲートウェイ機器情報及びグループ数情報を取得することと、
グループユーザデバイスのグループ情報の変化を取得することと、
グループユーザデバイスのゲートウェイ機器情報及びグループ数情報にしたがって、ゲートウェイ機器に、グループユーザデバイスに対してベアラ変更処理を実行するように命令することと、
グループユーザデバイスに対してベアラ変更処理を実行することと、
を含む。
【０００８】
本発明の実施形態は、Ｍ２Ｍアプリケーションに基づいたセッション管理方法を提供し、該方法は以下を含む。
【０００９】
グループユーザデバイスの移動管理ネットワーク要素情報及びグループ数情報を取得することと、
グループユーザデバイスのグループ情報の変化を取得することと、
グループユーザデバイスの移動管理ネットワーク要素情報及びグループ数情報にしたがって、移動管理ネットワーク要素に、グループユーザデバイスに対してベアラ変更処理を実行するように命令することと、
グループユーザデバイスに対してベアラ変更処理を実行することと、
を含む。
【００１０】
本発明の実施形態は、Ｍ２Ｍアプリケーションに基づいたセッション管理システムを提供し、該システムは移動管理ネットワーク要素及びゲートウェイ機器を含み、
移動管理ネットワーク要素は、グループユーザデバイスのゲートウェイ機器情報及びグループ数情報を取得し、グループユーザデバイスのグループ情報の変化を取得し、グループユーザデバイスのゲートウェイ機器情報及びグループ数情報にしたがって、ゲートウェイ機器に、グループユーザデバイスに対してベアラ変更処理を実行するように命令し、グループユーザデバイスに対してベアラ変更処理を実行するように構成されており、
ゲートウェイ機器は、グループユーザデバイスの移動管理ネットワーク要素情報及びグループ数情報を取得し、グループユーザデバイスのグループ情報の変化を取得し、グループユーザデバイスの移動管理ネットワーク要素情報及びグループ数情報にしたがって、移動管理ネットワーク要素に、グループユーザデバイスに対してベアラ変更処理を実行するように命令し、グループユーザデバイスに対してベアラ変更処理を実行するように構成されている。
【００１１】
本発明の実施形態は、第１の取得部と、第２の取得部と、第１の命令部と、第１の実行部と、を含む移動管理ネットワーク要素を提供し、
第１の取得部は、グループユーザデバイスのゲートウェイ機器情報及びグループ数情報を取得するように構成されており、
第２の取得部は、グループユーザデバイスのグループ情報の変化を取得するように構成されており、
第１の命令部は、グループユーザデバイスのゲートウェイ機器情報及びグループ数情報にしたがって、ゲートウェイ機器に、グループユーザデバイスに対してベアラ変更処理を実行するように命令するように構成されており、
第１の実行部は、グループユーザデバイスに対してベアラ変更処理を実行するように構成されている。
【００１２】
本発明の実施形態は、第３の取得部と、第４の取得部と、第２の命令部と、第２の実行部とを含むゲートウェイ機器を提供し、
第３の取得部は、グループユーザデバイスの移動管理ネットワーク要素情報及びグループ数情報を取得するように構成されており、
第４の取得部は、グループユーザデバイスのグループ情報の変化を取得するように構成されており、
第２の命令部は、グループユーザデバイスの移動管理ネットワーク要素情報及びグループ数情報にしたがって、移動管理ネットワーク要素に、グループユーザデバイスに対してベアラ変更処理を実行するように命令するように構成されており、
第２の実行部は、グループユーザデバイスに対してベアラ変更処理を実行するように構成されている。
【発明の効果】
【００１３】
従来の技術と比較すると、本発明の実施形態によって提供された技術的解決策は、以下の利点及び特徴を有する。本発明の実施形態によって提供された技術的解決策において、まず、ゲートウェイ機器情報及びグループ数情報が取得され、Ｍ２Ｍグループの共有情報が変化すると、ゲートウェイ機器は、取得されたゲートウェイ機器情報及びグループ数情報にしたがって、且つグループ粒度に基づいて、グループユーザデバイスに対してベアラ変更処理を実行するように命令され、グループユーザデバイスに対してベアラ変更処理を実行することによって、ネットワーク側のシグナリングオーバーヘッドを削減し、ネットワーク側にシグナリング輻輳が生じるのを防止し、ネットワーク負荷を削減することができる。
【図面の簡単な説明】
【００１４】
本発明の実施形態又は従来技術における技術的解決策をより明確に図示するために、本実施形態又は従来技術について記述するのに必要な添付の図面について以下簡潔に紹介する。明らかに、以下の説明における添付の図面は本発明の一部の実施形態にすぎず、当業者は、創意工夫なしに添付の図面にしたがって他の図面をさらに得ることができる。
【図１】図１は、本発明の実施形態にしたがった、Ｍ２Ｍアプリケーションに基づいたセッション管理方法のフローチャートである。
【図２】図２は、本発明の実施形態にしたがった、Ｍ２Ｍアプリケーションに基づいた第２のセッション管理方法のフローチャートである。
【図３】図３は、本発明の実施形態にしたがった、Ｍ２Ｍアプリケーションに基づいた第３のセッション管理方法のフローチャートである。
【図４】図４は、本発明の実施形態にしたがった、Ｍ２Ｍアプリケーションに基づいた第４のセッション管理方法のフローチャートである。
【図５】図５は、本発明の実施形態にしたがった、Ｍ２Ｍアプリケーションに基づいた第５のセッション管理方法のフローチャートである。
【図６】図６は、本発明の実施形態にしたがった、Ｍ２Ｍアプリケーションに基づいた第６のセッション管理方法のフローチャートである。
【図７】図７は、本発明の実施形態のしたがった、Ｍ２Ｍアプリケーションに基づいたセッション管理システムの概略構成図である。
【図８】図８は、本発明の実施形態にしたがった移動管理ネットワーク要素の概略構成図である。
【図９】図９は、本発明の実施形態にしたがったゲートウェイ機器の概略構成図である。
【発明を実施するための形態】
【００１５】
本発明の実施形態の技術的解決策について、本発明の実施形態における添付の図面を参照して以下明確且つ完全に説明する。明らかに、説明される実施形態は、本発明の実施形態のすべてではなく一部にすぎない。本発明の実施形態に基づいた創意工夫なく当業者によって得られる他のすべての実施形態は、本発明の保護範囲内にある。
【００１６】
＜第１の実施形態＞
本発明の実施形態は、Ｍ２Ｍアプリケーションに基づいたセッション管理方法を提供し、図１を参照すると、本発明の手順は、以下を含むことができる。
【００１７】
Ａ１０１：グループユーザデバイスのゲートウェイ機器情報及びグループ数情報を取得する。
【００１８】
ゲートウェイ機器情報及びグループ数情報を取得する具体的なプロセスは、以下のとおりである。
【００１９】
グループユーザデバイスが、取り付け手順、ＰＤＮ接続確立手順、又はＰＤＰコンテクスト起動手順を開始すると、移動管理ネットワーク要素（ＭＭＥ／ＳＧＳＮ）は、グループユーザデバイスによって送信された取り付けリクエスト（Ａｔｔａｃｈ  Ｒｅｑｕｅｓｔ）、ＰＤＮ接続リクエスト（ＰＤＮ  Ｃｏｎｎｅｃｔｉｖｉｔｙ  Ｒｅｑｕｅｓｔ）、又はＰＤＰコンテクスト起動リクエスト（Ａｃｔｉｖａｔｅ  ＰＤＰ  Ｃｏｎｔｅｘｔ  Ｒｅｑｕｅｓｔ）のメッセージを受信する。
【００２０】
グループユーザのグループ識別子（Ｇｒｏｕｐ  ＩＤ）が取得され、具体的には、ユーザデバイスによって送信されたリクエストメッセージから取得されてもよく、移動管理ネットワーク要素によって加入データから取得されてもよく、又は、グループのグループ識別子は、ユーザデバイス又はグループのコンテクスト情報にしたがって取得されてもよい。グループは、ユーザデバイスグループ、マシーン対マシーン（Ｍａｃｈｉｎｅ  Ｔｏ  Ｍａｃｈｉｎｅ、略してＭ２Ｍ）産業ユーザ（ＭＴＣ  Ｕｓｅｒ）、Ｍ２Ｍアプリケーション加入者（ＭＴＣ加入者又はＭＴＣサーバ）、又は複数の機器から形成される別のグループであってもよく、本発明の実施形態によって制限されない。
【００２１】
移動管理ネットワーク要素は、セッション管理リクエストメッセージをゲートウェイ機器に送信する（例えば、ＭＭＥ／ＳＧＳＮがセッション作成リクエストメッセージをＳＧＷに送信し、ＳＧＷがセッション作成リクエストメッセージをＰＧＷに送信するか、又は、ＳＧＳＮがＰＤＰコンテクスト作成リクエストメッセージをＧＧＳＮに送信する）。メッセージは、グループユーザデバイスの移動管理ネットワーク要素情報及びグループ数情報を含む。
【００２２】
ゲートウェイ機器は、セッション管理応答メッセージにおいて、ゲートウェイ機器情報及びグループ数情報を移動管理ネットワーク要素に返信し、この具体的な手順は、以下のとおりであってもよい。ＰＧＷがセッション作成応答メッセージをＳＧＷに送信し、次いで、ＳＧＷがセッション作成応答メッセージをＭＭＥ／ＳＧＳＮに送信するか、又はＧＧＳＮがＰＤＰコンテクスト作成応答メッセージをＳＧＳＮに送信する。メッセージは、ゲートウェイＧＰＲＳサポートノード情報及びグループ数情報を含む。
【００２３】
移動管理ネットワーク要素（ＭＭＥ／ＳＧＳＮ）及びゲートウェイ機器（ＳＧＷ／ＰＧＷ／ＧＧＳＮ）は、移動管理ネットワーク要素情報と、ゲートウェイ機器情報と、グループ数情報とを、グループユーザデバイスのベアラコンテクスト／ＰＤＰコンテクストに記憶してもよい。（移動管理ネットワーク要素及びゲートウェイ機器を含む）ネットワーク機器は、移動管理ネットワーク要素情報と、ゲートウェイ機器情報と、グループ数情報とによって、グループユーザデバイスを一意に識別する。グループユーザデバイスは、同一の移動管理ネットワーク要素及び同一のゲートウェイ機器に取り付けられる。移動管理ネットワーク要素情報及びグループ数情報、並びにゲートウェイ機器情報及びグループ数情報の表記形態は、以下のとおりであってもよい。
【００２４】
方法１：移動管理ネットワーク要素情報及びグループ数情報は、移動管理ネットワーク要素識別子＋グループ識別子、例えば、ＭＭＥ  ＩＤ／ＳＧＳＮ  ＩＤ＋Ｇｒｏｕｐ  ＩＤであってもよい。ゲートウェイ機器情報及びグループ数情報は、ゲートウェイ機器識別子＋グループ識別子、例えば、ＳＧＷ  ＩＤ／ＰＧＷ  ＩＤ／ＧＧＳＮ  ＩＤ＋Ｇｒｏｕｐ  ＩＤであってもよい。
【００２５】
（移動管理ネットワーク要素識別子及びゲートウェイ機器識別子を含む）ネットワーク機器識別子は、以下のとおりであってもよいが、以下に制限されない。グローバル一意のネットワーク機器識別子、例えば、ネットワーク機器をグローバル一意に識別可能なノードＩＤ、例えば、移動管理ネットワーク要素識別子（ＭＭＥ  ＩＤ／ＳＧＳＮ  ＩＤ）、ゲートウェイ機器識別子（ＳＧＷ  ＩＤ／ＰＧＷ  ＩＤ／ＳＳＧＮ  ＩＤ）。あるいはまた、ネットワーク機器識別子は、ネットワーク機器のＩＰアドレス、又はネットワーク機器の完全に記述したドメイン名（ＦＱＤＮ）であってもよい。本実施形態は、ネットワーク機器識別子の表記方法を制限するものではない。本実施形態において、ネットワーク機器識別子は、具体的に移動管理ネットワーク要素識別子及びゲートウェイ機器識別子を含んでもよい。
【００２６】
グループ識別子は、ユーザデバイスが属するグループの識別子（Ｇｒｏｕｐ  ＩＤ）であってもよく、また、国際移動電話加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、略してＩＭＳＩ）、移動局国際総合ディジタルサービスネットワーク番号（Ｍｏｂｉｌｅ  Ｓｔａｔｉｏｎ  Ｉｎｔｅｒｎａｔｉｏｎａｌ  Ｉｎｔｅｇｒａｔｅｄ  Ｓｅｒｖｉｃｅｓ  Ｄｉｇｉｔａｌ  ｎｅｔｗｏｒｋ  Ｎｕｍｂｅｒ、略してＭＳＩＳＤＮ）、及び国際移動電話機識別番号（Ｉｎｔｅｒｎａｔｉｏｎａｌ  Ｍｏｂｉｌｅ  Ｅｑｕｉｐｍｅｎｔ  Ｉｄｅｎｔｉｔｙ、略してＩＭＥＩ）などの、グループ内の複数のユーザデバイスによって共有される識別子であってもよい。又は、グループユーザデバイスがアクティブ／スタンバイネットワーキング仕様の場合、アクティブ機器の識別子は、例えば、アクティブ機器のＩＭＳＩ、ＭＳＩＳＤＮ、ＩＭＥＩ、パケット暫定移動電話加入者識別番号（Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｙ、略してＰ−ＴＭＳＩ）、グローバル一意暫定識別番号（Ｇｌｏｂａｌｌｙ  Ｕｎｉｑｕｅ  Ｔｅｍｐｏｒａｒｙ  Ｉｄｅｎｔｉｔｙ、略してＧＵＴＩ）であってもよく、又は、ＡＰＮなどのグループの識別子を示す他の方法が用いられてもよい。本発明の実施形態は、グループ識別子の形態を制限するものではない。
【００２７】
方法２：移動管理ネットワーク要素情報及びグループ数情報はまた、移動管理ネットワーク要素識別子＋リソース割当ユニット識別子であってもよい（リソース割当ユニット識別子は、移動管理ネットワーク要素によってグループに割り当てられた識別子として表される）。ゲートウェイ機器情報及びグループ数情報はまた、ゲートウェイ機器識別子＋リソース割当ユニット識別子であってもよい（リソース割当ユニット識別子は、ゲートウェイ機器によってグループに割り当てられた識別子として表される）。移動管理ネットワーク要素識別子＋リソース割当ユニット識別子は、情報要素、例えば、移動管理ネットワーク要素リソース割当識別子から形成されてもよく、ネットワーク機器識別子＋リソース割当ユニット識別子はまた、情報要素、例えば、ネットワーク機器リソース割当識別子から形成されてもよく、本実施形態によって制限されない。
【００２８】
（移動管理ネットワーク要素識別子及びゲートウェイ機器識別子を含む）ネットワーク機器識別子の表記方法として、方法１を参照してもよい。リソース割当ユニット識別子は、ネットワーク機器において、グループのユーザデバイスを一意に識別し得る。例えば、リソース割当ユニット識別子は、ネットワーク機器（ＭＭＥ／ＳＧＳＮ／ＳＧＷ／ＰＧＷ／ＧＧＳＮ）によって割り当てられてもよく、また、例えば、ユーザデバイスのグループ識別子にしたがって割り当てられてもよいため、ネットワーク機器は、リソース割当ユニット識別子を使用することによって、グループユーザデバイスの、ネットワーク機器に対応するコンテクストを迅速に検索し得る。具体的な実現方法は、以下を含み得る。
【００２９】
ネットワーク機器（ＭＭＥ／ＳＧＳＮ／ＳＧＷ／ＰＧＷ／ＧＧＳＮ）は、ネットワーク機器を介してアクセスを実行し、且つ同一グループにあるユーザデバイスに、同一のネットワーク機器リソース割当識別子を割り当ててもよい。具体的な実現方法は、以下のとおりである。移動管理ネットワーク要素（ＭＭＥ／ＳＧＳＮ）は、（移動管理ネットワーク要素に取り付けられた）移動管理ネットワーク要素を介してネットワークにアクセスし、且つ同一グループにあるユーザデバイスに、同一のリソース割当ユニット識別子を割り当てる。同様に、ゲートウェイ機器（ＳＧＷ／ＰＧＷ／ＧＧＳＮ）は、ゲートウェイ機器を介してネットワークにアクセスし（ゲートウェイ機器にＰＤＮ接続又はＰＤＰコンテクストを確立し）、且つ同一グループにあるユーザデバイスに、同一のリソース割当ユニット識別子を割り当てる。
【００３０】
あるいはまた、グループのユーザデバイスが複数のＰＤＮ接続を確立可能な場合（例えば、加入データが複数のＰＤＮ加入コンテクスト情報を含む場合）、ネットワーク機器はまた、ＰＤＮ接続粒度（ＡＰＮ）にしたがってユーザデバイスにリソース割当ユニット識別子を割り当てることができる。これは、具体的には、ネットワーク機器が、ネットワーク機器を介してアクセスを実行し、同一ＡＰＮにしたがってＰＤＮ接続を確立し、且つ同一グループにあるユーザデバイスに、同一のリソース割当ユニット識別子を割り当てることであってもよい。具体的な実現方法は、以下のとおりである。移動管理ネットワーク要素（ＭＭＥ／ＳＧＳＮ）は、（移動管理ネットワーク要素に取り付けられた）移動管理ネットワーク要素を介してネットワークにアクセスし、同一ＡＰＮにしたがってＰＤＮ接続を確立し、且つ同一グループにあるユーザデバイスに、同一のリソース割当ユニット識別子を割り当てる。同様に、ゲートウェイ機器（ＳＧＷ／ＰＧＷ／ＧＧＳＮ）が、ゲートウェイ機器を介してネットワークにアクセスし、同一ＡＰＮにしたがってＰＤＮ接続を確立し（同一ＡＰＮにしたがってゲートウェイ機器にＰＤＮ接続又はＰＤＰコンテクストを確立し）、且つ同一グループにあるユーザデバイスに、同一のリソース割当ユニット識別子を割り当てる。
【００３１】
方法３：移動管理ネットワーク要素情報及びグループ数情報はまた、移動管理ネットワーク要素リソース割当識別子＋グループ識別子であってもよい。移動管理ネットワーク要素リソース割当識別子は、具体的に、移動管理ネットワーク要素識別子＋ユーザリソース割当ユニット識別子であってもよい（リソース割当ユニット識別子は、移動管理ネットワーク要素によってユーザデバイスに割り当てられた識別子として表される）。ゲートウェイ機器情報及びグループ数情報は、ゲートウェイ機器リソース割当識別子＋グループ識別子であってもよい。移動管理ネットワーク要素リソース割当識別子は、具体的には、ゲートウェイ機器識別子＋ユーザリソース割当ユニット識別子であってもよい（ユーザリソース割当ユニット識別子は、ゲートウェイ機器によってユーザデバイスに割り当てられた識別子として表される）。
【００３２】
（移動管理ネットワーク要素識別子及びゲートウェイ機器リソース割当識別子を含む）ネットワーク機器リソース割当識別子は、ネットワーク機器（ＭＭＥ／ＳＧＳＮ／ＳＧＷ／ＰＧＷ／ＧＧＳＮ）において、ユーザデバイスのユーザデバイスコンテクストを識別し得る。ネットワーク機器リソース割当識別子は、以下のものから形成可能であるが、これに制限されない。グローバル一意のネットワーク機器識別子（例えば、ＭＭＥ／ＳＧＳＮ／ＳＧＷ／ＰＧＷ／ＧＧＳＮなどの、ネットワーク機器をグローバル一意に識別可能なノードＩＤ）及びリソース割当ユニット識別子（ネットワークノードにおいて、リソース割当ユニット識別子は、ネットワークノード自体によって割り当てられてもよく、例えば、プロセス番号、インタフェースボード番号、又はＩＭＳＩ情報にしたがって割り当てられてもよく、また、ネットワークノードは、リソース割当ユニット識別子を使用してユーザデバイスコンテクストを迅速に検索可能である）。あるいはまた、ネットワーク機器リソース割当識別子は、ネットワーク機器識別子のみ、例えば、移動管理ネットワーク要素識別子（ＭＭＥ  ＩＤ／ＳＧＳＮ  ＩＤ）又はゲートウェイ機器識別子（ＳＧＷ  ＩＤ／ＰＧＷ  ＩＤ／ＧＧＳＮ  ＩＤ）から形成されてもよい。本実施形態は、ネットワーク機器リソース割当識別子の形態を制限するものではない。
【００３３】
Ａ１０２：グループユーザデバイスのグループ情報の変化を取得し、グループユーザデバイスのゲートウェイ機器情報及びグループ数情報にしたがって、ゲートウェイ機器に、グループユーザデバイスに対してベアラ変更処理を実行するよう命令し、グループユーザデバイスに対してベアラ変更処理を実行する。
【００３４】
グループユーザデバイスのグループ情報の変化を取得することは、移動管理ネットワーク要素が、ホーム加入データベース（ＨＬＲ／ＨＳＳ）によって送信された加入データ挿入（Ｉｎｓｅｒｔ  Ｓｕｂｓｃｒｉｐｔｉｏｎ  Ｄａｔａ）メッセージを受信し、グループユーザデバイスの加入データが修正されたことを取得することであってもよく、又は、移動管理ネットワーク要素が、ホーム加入データベース（ＨＬＲ／ＨＳＳ）によって送信された検索キャンセル（Ｃａｎｃｅｌ  Ｌｏｃａｔｉｏｎ）メッセージを受信し、グループユーザデバイスの停止を取得することであってもよく、又は、移動管理ネットワーク要素が、構成情報の変化によって（例えば、Ｏ＆Ｍ干渉によって）、グループユーザデバイスのグループ情報の変化を取得することであってもよい。ベアラ変更（ｃｈａｎｇｅ）処理は、ベアラ修正（ｍｏｄｉｆｙ）手順を含んでもよく、又はベアラ無効化（ｄｅａｃｔｉｖａｔｉｏｎ）手順を含んでもよい。ベアラ無効化手順はさらに、分離（ｓｅｐａｒａｔｉｏｎ）手順を含んでもよい。ＧＥＲＡＮ／ＵＴＲＡＮシステムにおいて、ベアラはＰＤＰコンテクストであってもよい。
【００３５】
グループユーザデバイスのゲートウェイ機器情報及びグループ数情報にしたがって、移動管理ネットワーク要素は、ゲートウェイ機器に、グループユーザデバイスに対してベアラ変更処理を実行するように命令し、グループユーザデバイスに対してベアラ変更処理を実行する。同一の移動管理ネットワーク要素情報と、同一のサービングゲートウェイ情報と、同一のパケットデータネットワークゲートウェイ情報と、同一のグループ数情報とは、グループユーザデバイスを一意に示し得る。具体的なプロセスは、以下のとおりである。
【００３６】
移動管理ネットワーク要素は、グループユーザデバイスのステップＡ１０１で取得されたゲートウェイ機器情報及びグループ数情報にしたがって、セッション管理リクエストメッセージをゲートウェイ機器に送信して、グループユーザデバイスにベアラ変更処理を実行するように命令する。このメッセージは、グループユーザデバイスの移動管理ネットワーク要素情報及びグループ数情報を含んでおり（例えば、ＭＭＥ／ＳＧＳＮは、ベアラ修正リクエスト／セッション削除リクエスト（Ｍｏｄｉｆｙ  Ｂｅａｒｅｒ  Ｒｅｑｕｅｓｔ／Ｄｅｌｅｔｅ  Ｓｅｓｓｉｏｎ  Ｒｅｑｕｅｓｔ）メッセージをＳＧＷに送信し（ＭＭＥ／ＳＧＳＮによって送信されたメッセージは、グループユーザデバイスの移動管理ネットワーク要素情報と、パケットデータネットワークゲートウェイ情報と、グループ数情報とを含む）、次いで、ＳＧＷが、ベアラ修正リクエスト／セッション削除リクエストメッセージをＰＧＷに送信するか（ＳＧＷによって送信されたメッセージは、グループユーザデバイスのサービングゲートウェイ情報と、移動管理ネットワーク要素情報と、グループ数情報とを含む）、又は、ＳＧＳＮが、ＰＤＰコンテクスト更新リクエスト／ＰＤＰコンテクスト削除リクエスト（Ｕｐｄａｔｅ  ＰＤＰ  Ｃｏｎｔｅｘｔ  Ｒｅｑｕｅｓｔ／Ｄｅｌｅｔｅ  ＰＤＰ  Ｃｏｎｔｅｘｔ  Ｒｅｑｕｅｓｔ）メッセージをＧＧＳＮに送信し（ＳＧＳＮによって送信されたメッセージは、グループユーザデバイスの移動管理ネットワーク要素情報及びグループ数情報を含む））、ゲートウェイ機器は、セッション管理リクエストメッセージにしたがって、グループユーザデバイスの移動管理ネットワーク要素情報と、ゲートウェイ情報と、グループ数情報とを取得し（例えば、ＰＧＷが、ＳＧＷによって送信されたメッセージにしたがって、グループユーザデバイスの移動管理ネットワーク要素情報と、サービングゲートウェイ情報と、パケットデータネットワークゲートウェイ情報と、グループ数情報とを取得するか、又は、ＧＧＳＮが、ＳＧＳＮによって送信されたメッセージにしたがって、グループユーザデバイスの移動管理ネットワーク要素情報と、ゲートウェイＧＰＲＳサポートノード情報と、グループ数情報とを取得する）、取得した情報にしたがって、グループユーザデバイスのコンテクスト及びゲートウェイ機器に対してベアラ変更処理を実行する（グループユーザデバイスは、同一の移動管理ネットワーク要素情報と、ゲートウェイ情報と、グループ数情報とを有する）。
【００３７】
ゲートウェイ機器は、セッション管理応答メッセージを移動管理ネットワーク要素に返信し（例えば、ＰＧＷが、ベアラ修正応答／セッション削除応答（Ｍｏｄｉｆｙ  Ｂｅａｒｅｒ  Ｒｅｓｐｏｎｓｅ／Ｄｅｌｅｔｅ  Ｓｅｓｓｉｏｎ  Ｒｅｓｐｏｎｓｅ）メッセージをＳＧＷに送信し（ＰＧＷによって送信されたメッセージは、グループユーザデバイスのパケットデータネットワークゲートウェイ情報と、移動管理ネットワーク要素情報と、グループ数情報とを含む）、次いで、ＳＧＷが、ベアラ修正応答／セッション削除応答メッセージをＭＭＥ／ＳＧＳＮに送信するか（ＳＧＷによって送信されたメッセージは、グループユーザデバイスのサービングゲートウェイ情報と、パケットデータネットワークゲートウェイ情報と、グループ数情報とを含む）、又は、ＧＧＳＮが、ＰＤＰコンテクスト更新応答／ＰＤＰコンテクスト削除応答（Ｕｐｄａｔｅ  ＰＤＰ  Ｃｏｎｔｅｘｔ  Ｒｅｓｐｏｎｓｅ／Ｄｅｌｅｔｅ  ＰＤＰ  Ｃｏｎｔｅｘｔ  Ｒｅｓｐｏｎｓｅ）メッセージをＳＧＳＮに送信する（ＧＧＳＮによって送信されたメッセージは、グループユーザデバイスのゲートウェイＧＰＲＳサポートノード情報及びグループ数情報を含む））、移動管理ネットワーク要素は、セッション管理応答メッセージにしたがって、グループユーザデバイスの移動管理ネットワーク要素情報と、ゲートウェイ情報と、グループ数情報とを取得し（例えば、ＭＭＥが、ＳＧＷによって送信されたメッセージにしたがって、グループユーザデバイスの移動管理ネットワーク要素情報と、サービングゲートウェイ情報と、パケットデータネットワークゲートウェイ情報と、グループ数情報とを取得するか、又は、ＳＧＳＮが、ＧＧＳＮによって送信されたメッセージにしたがって、グループユーザデバイスの移動管理ネットワーク要素情報と、ゲートウェイＧＰＲＳサポートノード情報と、グループ数情報とを取得する）、取得した情報にしたがって、グループユーザデバイスのコンテクスト及び移動管理ネットワーク要素に対してベアラ変更処理を実行する。グループユーザデバイスは、同一の移動管理ネットワーク要素情報と、ゲートウェイ情報と、グループ数情報とを有する。
【００３８】
本発明の実施形態において、移動管理ネットワーク要素は、グループユーザデバイスのゲートウェイ機器情報（つまり、移動管理ネットワーク要素は、グループユーザデバイスを提供するゲートウェイ機器の情報を取得する）及びグループ数情報を取得し、グループユーザデバイスのグループ情報の変化を取得すると、グループユーザデバイスのゲートウェイ機器情報及びグループ数情報にしたがって、且つグループ粒度に基づいて、ゲートウェイ機器に、グループユーザデバイスに対してベアラ変更処理を実行するように命令し、そして、グループユーザデバイスに対してベアラ変更処理を実行し得るので、ネットワーク側のシグナリングオーバーヘッドを削減することによって、シグナリング輻輳がネットワーク側に生じるのを防止し、ネットワーク負荷を削減することができる。
【００３９】
＜第２の実施形態＞
本発明の実施形態は、Ｍ２Ｍアプリケーションに基づいたセッション管理方法を提供し、図２を参照すると、手順は、具体的に以下を含むことができる。
【００４０】
Ｂ１：移動管理ネットワーク要素が、グループユーザデバイスのゲートウェイ機器情報及びグループ数情報を取得する。
【００４１】
本プロセスにおいて、ゲートウェイ機器もまた、グループユーザデバイスの移動管理ネットワーク要素情報及びグループ数情報を取得し得る。移動管理ネットワーク要素情報及びグループ数情報、並びにゲートウェイ機器情報及びグループ数情報の表記形態について、第１の実施形態のステップＡ１０１の説明を参照してもよい。移動管理ネットワーク要素は、グループユーザデバイスのゲートウェイ機器情報及びグループ数情報を取得し、ゲートウェイ機器は、グループユーザデバイスの移動管理ネットワーク要素情報及びグループ数情報を取得し、これは、以下の手順を用いることによって具体的に実現し得る。
【００４２】
Ｂ１０１：ユーザデバイスが、アクセスリクエストメッセージを移動管理ネットワーク要素に送信する。アクセスリクエストメッセージは、取り付けリクエスト（Ａｔｔａｃｈ  Ｒｅｑｕｅｓｔ）又はＰＤＮ接続リクエスト（ＰＤＮ  Ｃｏｎｎｅｃｔｉｖｉｔｙ  Ｒｅｑｕｅｓｔ）メッセージであってもよい。実施形態は、アクセスリクエストメッセージの名称を制限するものではない。
【００４３】
Ｂ１０２：移動管理ネットワーク要素は、グループユーザデバイスのグループ識別子を取得する。移動管理ネットワーク要素は、アクセスリクエストメッセージにしたがって、又は取得した加入データにしたがって、グループのグループ識別子を取得してもよく、又は、ユーザデバイス又はグループのコンテクスト情報にしたがって、グループのグループ識別子を取得してもよい。実施形態は、移動管理ネットワーク要素がグループ識別子を取得する方法を制限するものではない。
【００４４】
移動管理ネットワーク要素は、メッセージをサービングゲートウェイに送信して、セッションの作成をリクエストする。例えば、メッセージはセッション作成リクエスト（Ｃｒｅａｔｅ  Ｓｅｓｓｉｏｎ  Ｒｅｑｕｅｓｔ）メッセージであってもよい。実施形態は、メッセージの名称を制限するものではない。メッセージは、グループユーザデバイスの移動管理ネットワーク要素情報及びグループ数情報を含む。
【００４５】
Ｂ１０３：サービングゲートウェイは、移動管理ネットワーク要素によって送信され且つステップＢ１０２で受信されたメッセージにしたがって、グループユーザデバイスの移動管理ネットワーク要素情報及びグループ数情報を取得する。
【００４６】
サービングゲートウェイは、メッセージをパケットデータネットワークゲートウェイに送信する。例えば、メッセージは、セッション作成リクエスト（Ｃｒｅａｔｅ  Ｓｅｓｓｉｏｎ  Ｒｅｑｕｅｓｔ）メッセージであってもよい。実施形態は、メッセージの名称を制限するものではない。メッセージは、グループユーザデバイスの移動管理ネットワーク要素情報と、サービングゲートウェイ情報と、グループ数情報とを含む。
【００４７】
Ｂ１０４：パケットデータネットワークゲートウェイは、サービングゲートウェイによって送信され且つステップＢ１０３で受信されたメッセージにしたがって、グループユーザデバイスの移動管理ネットワーク要素情報と、サービングゲートウェイ情報と、グループ数情報とを取得する。
【００４８】
パケットデータネットワークゲートウェイは、メッセージをサービングゲートウェイに送信する。例えば、メッセージは、セッション作成応答（Ｃｒｅａｔｅ  Ｓｅｓｓｉｏｎ  Ｒｅｓｐｏｎｓｅ）メッセージであってもよい。実施形態は、メッセージの名称を制限するものではない。メッセージは、グループユーザデバイスのパケットデータネットワークゲートウェイ情報及びグループ数情報を含む。
【００４９】
Ｂ１０５：サービングゲートウェイは、パケットデータネットワークゲートウェイによって送信され且つステップＢ１０４で受信されたメッセージにしたがって、グループユーザデバイスのパケットデータネットワークゲートウェイ情報及びグループ数情報を取得する。
【００５０】
サービングゲートウェイは、メッセージを移動管理ネットワーク要素に送信する。メッセージは、セッション作成応答（Ｃｒｅａｔｅ  Ｓｅｓｓｉｏｎ  Ｒｅｓｐｏｎｓｅ）メッセージであってもよい。実施形態は、メッセージの名称を制限するものではない。メッセージは、グループユーザデバイスのパケットデータネットワークゲートウェイ情報と、サービングゲートウェイ情報と、グループ数情報とを含む。
【００５１】
Ｂ１０６：移動管理ネットワーク要素は、サービングゲートウェイによって送信され且つステップＢ１０５で受信されたメッセージにしたがって、グループユーザデバイスのパケットデータネットワークゲートウェイ情報と、サービングゲートウェイ情報と、グループ数情報とを取得する。
【００５２】
Ｂ２：グループユーザデバイスのグループ情報の変化を取得すると、グループユーザデバイスのゲートウェイ機器情報及びグループ数情報にしたがって、移動管理ネットワーク要素は、ゲートウェイ機器に、グループユーザデバイスに対してベアラ変更処理を実行するように命令し、グループユーザデバイスに対してベアラ変更処理を実行する。
【００５３】
グループユーザデバイスのゲートウェイ機器情報及びグループ数情報にしたがって、移動管理ネットワーク要素は、ゲートウェイ機器に、グループユーザデバイスに対してベアラ変更処理を実行するように命令し、グループユーザデバイスに対してベアラ変更処理を実行する。ベアラ変更処理は、ベアラ修正手順を含んでもよく、又は、ベアラ無効化手順を含んでもよい。具体的な手順は、以下を含み得る。
【００５４】
手順１：移動管理ネットワーク要素は、グループユーザデバイスのグループ情報の変化を取得し、ゲートウェイ機器に、グループユーザデバイスに対してベアラ修正を実行するように命令し、グループユーザデバイスに対してベアラ修正を実行する。
【００５５】
Ｂ２０１：移動管理ネットワーク要素（ＭＭＥ／ＳＧＳＮ）は、ホーム加入データベース（ＨＳＳ）によって送信された加入データ挿入（Ｉｎｓｅｒｔ  Ｓｕｂｓｃｒｉｐｔｉｏｎ  Ｄａｔａ）メッセージを受信し、グループユーザデバイスの加入データの変更を取得する。あるいはまた、移動管理ネットワーク要素は、構成情報の変化によって（例えば、Ｏ＆Ｍ干渉によって）、グループユーザデバイスのグループ情報の変化を取得する。
【００５６】
Ｂ２０２：移動管理ネットワーク要素は、グループユーザデバイスのベアラ修正手順を開始し、グループユーザデバイスのコンテクストを修正する。同一の移動管理ネットワーク要素情報と、サービングゲートウェイ情報と、パケットデータネットワークゲートウェイ情報と、グループ数情報とは、グループユーザデバイスを一意に示し得る。
【００５７】
移動管理ネットワーク要素は、メッセージをサービングゲートウェイに送信する。メッセージは、ベアラ修正リクエスト（Ｍｏｄｉｆｙ  Ｂｅａｒｅｒ  Ｒｅｑｕｅｓｔ）メッセージであってもよい。実施形態は、メッセージの名称を制限するものではない。メッセージは、移動管理ネットワーク要素情報と、パケットデータネットワークゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【００５８】
移動管理ネットワーク要素は、メッセージをサービングゲートウェイに送信し、これは、複数の既存のベアラ修正リクエストメッセージが、ユーザデバイス粒度に基づいて送信されるのではなく、メッセージが、同一の移動管理ネットワーク要素情報と、サービングゲートウェイ情報と、パケットデータネットワークゲートウェイ情報と、グループ数情報とを有するグループユーザデバイスのサービングゲートウェイに送信されるということであってもよい。
【００５９】
Ｂ２０３：サービングゲートウェイは、移動管理ネットワーク要素によって送信され且つステップＢ２０２で受信されたメッセージにしたがって、移動管理ネットワーク要素情報と、サービングゲートウェイ情報と、パケットデータネットワークゲートウェイ情報と、グループ数情報とを取得し、これは、以下によって具体的に実現し得る。
【００６０】
受信したメッセージが、移動管理ネットワーク要素情報と、パケットデータネットワークゲートウェイ情報と、グループ数情報とのみを含む場合、サービングゲートウェイは、このメッセージから、移動管理ネットワーク要素情報と、パケットデータネットワークゲートウェイ情報と、グループ数情報とを取得し得る。加えて、サービングゲートウェイはさらに、取得した移動管理ネットワーク要素情報と、パケットデータネットワークゲートウェイ情報と、グループ数情報とにしたがって、サービングゲートウェイを介してアクセスを実行する全ユーザデバイスのコンテクストにある移動管理ネットワーク要素情報と、パケットデータネットワークゲートウェイ情報と、グループ数情報とを照合し得る。照合されると、サービングゲートウェイは、ユーザデバイスコンテクスト情報にしたがって自身の情報（サービングゲートウェイ情報）を取得し得る。
【００６１】
あるいはまた、受信したメッセージが、移動管理ネットワーク要素情報と、サービングゲートウェイ情報と、パケットデータネットワークゲートウェイ情報と、グループ数情報とを含む場合、サービングゲートウェイは、このメッセージから、移動管理ネットワーク要素情報と、サービングゲートウェイ情報と、パケットデータネットワークゲートウェイ情報と、グループ数情報とを取得し得る。
【００６２】
サービングゲートウェイは、メッセージをパケットデータネットワークゲートウェイに送信する。メッセージは、ベアラ修正リクエスト（Ｍｏｄｉｆｙ  Ｂｅａｒｅｒ  Ｒｅｑｕｅｓｔ）メッセージであってもよい。実施形態は、メッセージの名称を制限するものではない。サービングゲートウェイは、先行するステップで取得されたパケットデータネットワークゲートウェイ情報にしたがって、グループユーザデバイスが取り付けられたパケットデータネットワークゲートウェイを取得し得る。サービングゲートウェイによって送信されたメッセージは、移動管理ネットワーク要素情報と、サービングゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【００６３】
Ｂ２０４：パケットデータネットワークゲートウェイは、サービングゲートウェイによって送信され且つステップＢ２０３で受信されたメッセージにしたがって、移動管理ネットワーク要素情報と、サービングゲートウェイ情報と、パケットデータネットワークゲートウェイ情報と、グループ数情報とを取得し、これは、以下によって具体的に実現し得る。
【００６４】
受信したメッセージが、移動管理ネットワーク要素情報と、サービングゲートウェイ情報と、グループ数情報とのみを含む場合、パケットデータネットワークゲートウェイは、このメッセージから、移動管理ネットワーク要素情報と、サービングゲートウェイ情報と、グループ数情報とを取得し得る。加えて、パケットデータネットワークゲートウェイはさらに、取得した移動管理ネットワーク要素情報と、サービングゲートウェイと、グループ数情報とにしたがって、パケットデータネットワークゲートウェイを介してアクセスを実行する全ユーザデバイスのコンテクストにある移動管理ネットワーク要素情報と、サービングゲートウェイ情報と、グループ数情報とを照合し得る。照合されると、パケットデータネットワークゲートウェイは、ユーザデバイスコンテクスト情報にしたがって、自身の情報（パケットデータネットワークゲートウェイ情報）を取得し得る。
【００６５】
あるいはまた、受信したメッセージが、移動管理ネットワーク要素情報と、サービングゲートウェイ情報と、パケットデータネットワークゲートウェイ情報と、グループ数情報とを含む場合、パケットデータネットワークゲートウェイは、このメッセージから、移動管理ネットワーク要素情報と、サービングゲートウェイ情報と、パケットデータネットワークゲートウェイ情報と、グループ数情報とを取得し得る。
【００６６】
パケットデータネットワークゲートウェイは、取得した情報にしたがって、パケットデータネットワークゲートウェイを介してアクセスを実行するグループユーザデバイスのコンテクスト情報を更新する。具体的な方法は、以下のとおりであり得る。パケットデータネットワークゲートウェイは、移動管理ネットワーク要素情報と、サービングゲートウェイ情報と、パケットデータネットワークゲートウェイ情報と、グループ数情報とを有する（記憶する）グループユーザデバイスコンテクスト、又は、サービングゲートウェイによって送信され且つステップＢ２０３で受信されたメッセージにしたがって、パケットデータネットワークゲートウェイによって取得された移動管理ネットワーク要素情報と、サービングゲートウェイ情報と、グループ数情報とを有する（記憶する）グループユーザデバイスコンテクストを更新する。
【００６７】
パケットデータネットワークゲートウェイは、メッセージをサービングゲートウェイに送信し、更新が完了したことを通知する。メッセージは、ベアラ修正応答（Ｍｏｄｉｆｙ  Ｂｅａｒｅｒ  Ｒｅｓｐｏｎｓｅ）メッセージであってもよい。実施形態は、メッセージの名称を制限するものではない。パケットデータサービングゲートウェイによって送信されたメッセージは、移動管理ネットワーク要素情報と、パケットデータネットワークゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【００６８】
Ｂ２０５：サービングゲートウェイは、パケットデータサービングゲートウェイによって送信され且つステップＢ２０４で受信されたメッセージにしたがって、移動管理ネットワーク要素情報と、サービングゲートウェイ情報と、パケットデータネットワークゲートウェイ情報と、グループ数情報とを取得し、これは、以下によって具体的に実現し得る。
【００６９】
受信したメッセージが、移動管理ネットワーク要素情報と、パケットデータネットワークゲートウェイ情報と、グループ数情報とを含む場合、サービングゲートウェイは、このメッセージから、移動管理ネットワーク要素情報と、パケットデータネットワークゲートウェイ情報と、グループ数情報とを取得し得る。加えて、サービングゲートウェイは、取得した移動管理ネットワーク要素情報と、パケットデータネットワークゲートウェイ情報と、グループ数情報とにしたがって、サービングゲートウェイを介してアクセスを実行する全ユーザデバイスのコンテクストにある移動管理ネットワーク要素情報と、パケットデータネットワークゲートウェイ情報と、グループ数情報とを照合し得る。照合されると、サービングゲートウェイは、ユーザデバイスコンテクスト情報にしたがって自身の情報（サービングゲートウェイ情報）を取得し得る。
【００７０】
あるいはまた、受信したメッセージが、移動管理ネットワーク要素情報と、サービングゲートウェイ情報と、パケットデータネットワークゲートウェイ情報と、グループ数情報とを含む場合、サービングゲートウェイは、このメッセージから、移動管理ネットワーク要素情報と、サービングゲートウェイ情報と、パケットデータネットワークゲートウェイ情報と、グループ数情報とを取得し得る。
【００７１】
サービングゲートウェイは、取得した情報にしたがって、サービングゲートウェイを介してアクセスを実行するグループユーザデバイスのコンテクスト情報を更新する。具体的な方法は、以下のとおりであり得る。サービングゲートウェイは、移動管理ネットワーク要素情報と、サービングゲートウェイ情報と、パケットデータネットワークゲートウェイ情報と、グループ数情報とを有する（記憶する）グループユーザデバイスコンテクスト、又は、パケットデータサービングゲートウェイによって送信され且つステップＢ２０４で受信されたメッセージにしたがってサービングゲートウェイによって取得された移動管理ネットワーク要素情報と、パケットデータネットワークゲートウェイ情報と、グループ数情報とを有する（記憶する）グループユーザデバイスコンテクストを更新する。
【００７２】
サービングゲートウェイは、メッセージを移動管理ネットワーク要素に送信して、更新が完了したことを通知する。メッセージは、ベアラ修正応答（Ｍｏｄｉｆｙ  Ｂｅａｒｅｒ  Ｒｅｓｐｏｎｓｅ）メッセージであってもよい。実施形態は、メッセージの名称を制限するものではない。サービングゲートウェイによって送信されたメッセージは、サービングゲートウェイ情報と、パケットデータネットワークゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【００７３】
Ｂ２０６：移動管理ネットワーク要素は、サービングゲートウェイによって送信され且つステップＢ２０５で受信されたメッセージにしたがって、移動管理ネットワーク要素情報と、サービングゲートウェイ情報と、パケットデータネットワークゲートウェイ情報と、グループ数情報とを取得し、これは、以下によって具体的に実現し得る。
【００７４】
受信したメッセージが、サービングゲートウェイ情報と、パケットデータネットワークゲートウェイ情報と、グループ数情報とのみを含む場合、移動管理ネットワーク要素は、このメッセージから、サービングゲートウェイ情報と、パケットデータネットワークゲートウェイ情報と、グループ数情報とを取得し得る。加えて、移動管理ネットワーク要素はさらに、取得したサービングゲートウェイ情報と、パケットデータネットワークゲートウェイ情報と、グループ数情報とにしたがって、移動管理ネットワーク要素を介してアクセスを実行する全ユーザデバイスのコンテクストにあるサービングゲートウェイ情報と、パケットデータネットワークゲートウェイ情報と、グループ数情報とを照合し得る。照合されると、移動管理ネットワーク要素は、ユーザデバイスコンテクスト情報にしたがって自身の情報（移動管理ネットワーク要素情報）を取得し得る。
【００７５】
あるいはまた、受信したメッセージが、移動管理ネットワーク要素情報と、サービングゲートウェイ情報と、パケットデータネットワークゲートウェイ情報と、グループ数情報とを含む場合、移動管理ネットワーク要素は、このメッセージから、移動管理ネットワーク要素情報と、サービングゲートウェイ情報と、パケットデータネットワークゲートウェイ情報と、グループ数情報とを取得し得る。
【００７６】
移動管理ネットワーク要素は、取得した情報にしたがって、移動管理ネットワーク要素を介してアクセスを実行するグループユーザデバイスのコンテクスト情報を更新する。具体的な方法は、以下のとおりであり得る。移動管理ネットワーク要素は、移動管理ネットワーク要素情報と、サービングゲートウェイ情報と、パケットデータネットワークゲートウェイ情報と、グループ数情報とを有する（記憶する）グループユーザデバイスコンテクスト、又は、サービングゲートウェイによって送信され且つステップＢ２０５で受信されたメッセージにしたがって移動管理ネットワーク要素によって取得されたサービングゲートウェイ情報と、パケットデータネットワークゲートウェイ情報と、グループ数情報とを有する（記憶する）グループユーザデバイスコンテクストを更新する。
【００７７】
手順２：移動管理ネットワーク要素は、グループユーザデバイスのグループ情報の変化を取得し、ゲートウェイ機器に、グループユーザデバイスに対してベアラ無効化を実行するように命令し、グループユーザデバイスに対してベアラ無効化を実行する。
【００７８】
Ｂ３０１：移動管理ネットワーク要素（ＭＭＥ／ＳＧＳＮ）は、ホーム加入データベース（ＨＳＳ）によって送信された加入データ挿入（Ｉｎｓｅｒｔ  Ｓｕｂｓｃｒｉｐｔｉｏｎ  Ｄａｔａ）メッセージを受信し、グループユーザデバイスの加入データの変化（例えば、オリジナルの加入データのＡＰＮが、更新済み加入データでは使用不可能であること）を取得するか、又は、移動管理ネットワーク要素が、ホーム加入データサーバー（ＨＳＳ）によって送信された検索キャンセル（Ｃａｎｃｅｌ  Ｌｏｃａｔｉｏｎ）メッセージと、グループユーザデバイスの停止を示すメッセージとを受信したことを取得するか、又は、移動管理ネットワーク要素は、構成情報の変化によって（例えば、Ｏ＆Ｍ干渉によって）、グループユーザデバイスのグループ情報の変化を取得するか、又は、移動管理ネットワーク要素は、自身のリソースが不十分であることを取得すると、グループユーザデバイスのベアラコンテクストを無効化する必要がある。
【００７９】
Ｂ３０２：移動管理ネットワーク要素は、グループユーザデバイスのベアラ無効化手順を開始し、グループユーザデバイスのベアラコンテクストを無効化する。同一の移動管理ネットワーク要素情報と、サービングゲートウェイ情報と、パケットデータネットワークゲートウェイ情報と、グループ数情報とは、グループユーザデバイスを一意に示し得る。ベアラ無効化手順はさらに、分離手順を含んでもよい。
【００８０】
移動管理ネットワーク要素は、メッセージをサービングゲートウェイに送信してもよい。メッセージは、セッション削除リクエスト（Ｄｅｌｅｔｅ  Ｓｅｓｓｉｏｎ  Ｒｅｑｕｅｓｔ）メッセージであってもよい。実施形態は、メッセージの名称を制限するものではない。メッセージは、移動管理ネットワーク要素情報と、パケットデータネットワークゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【００８１】
移動管理ネットワーク要素は、メッセージをサービングゲートウェイに送信し、これは、複数の既存のセッション削除リクエストメッセージが、ユーザデバイス粒度に基づいて送信されるのではなく、メッセージが、同一の移動管理ネットワーク要素情報と、サービングゲートウェイ情報と、パケットデータゲートウェイ情報と、グループ数情報とを有するグループユーザデバイスのサービングゲートウェイに送信されるということであってもよい
【００８２】
Ｂ３０３：サービングゲートウェイは、移動管理ネットワーク要素によって送信され且つステップＢ３０２で受信されたメッセージにしたがって、移動管理ネットワーク要素情報と、サービングゲートウェイ情報と、パケットデータネットワークゲートウェイ情報と、グループ数情報とを取得する。詳細については、ステップＢ２０３の実現方法を参照してもよい。
【００８３】
サービングゲートウェイは、メッセージをパケットデータネットワークゲートウェイに送信してもよい。メッセージは、セッション削除リクエスト（Ｄｅｌｅｔｅ    Ｓｅｓｓｉｏｎ  Ｒｅｑｕｅｓｔ）メッセージであってもよい。実施形態は、メッセージの名称を制限するものではない。サービングゲートウェイによって送信されたメッセージは、移動管理ネットワーク要素情報と、サービングゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【００８４】
Ｂ３０４：パケットデータネットワークゲートウェイは、サービングゲートウェイによって送信され且つステップＢ３０３で受信されたメッセージにしたがって、移動管理ネットワーク要素情報と、サービングゲートウェイ情報と、パケットデータネットワークゲートウェイ情報と、グループ数情報とを取得する。詳細については、ステップＢ２０４の実現方法を参照してもよい。
【００８５】
パケットデータネットワークゲートウェイは、上記情報にしたがって、パケットデータネットワークゲートウェイを介してアクセスを実行するグループユーザデバイスのコンテクスト情報を削除する。具体的な方法は、以下のとおりであり得る。パケットデータネットワークゲートウェイは、移動管理ネットワーク要素情報と、サービングゲートウェイ情報と、パケットデータネットワークゲートウェイ情報と、グループ数情報とを有する（記憶する）グループユーザデバイスコンテクスト、又は、サービングゲートウェイによって送信され且つステップＢ３０３で受信されたメッセージにしたがってパケットデータネットワークゲートウェイによって取得された移動管理ネットワーク要素情報と、サービングゲートウェイ情報と、グループ数情報とを有する（記憶する）グループユーザデバイスコンテクストを削除する。
【００８６】
パケットデータネットワークゲートウェイは、メッセージをサービングゲートウェイに送信して、無効化が完了したことを通知してもよい。メッセージは、セッション削除応答（Ｄｅｌｅｔｅ  Ｓｅｓｓｉｏｎ  Ｒｅｓｐｏｎｓｅ）メッセージであってもよい。実施形態は、メッセージの名称を制限するものではない。パケットデータネットワークゲートウェイによって送信されたメッセージは、移動管理ネットワーク要素情報と、パケットデータネットワークゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【００８７】
Ｂ３０５：サービングゲートウェイは、パケットデータネットワークゲートウェイによって送信され且つステップＢ３０４で受信されたメッセージにしたがって、移動管理ネットワーク要素情報と、サービングゲートウェイ情報と、パケットデータネットワークゲートウェイ情報と、グループ数情報とを取得する。詳細については、ステップＢ２０５の実現方法を参照してもよい。
【００８８】
サービングゲートウェイは、取得した情報にしたがって、サービングゲートウェイを介してアクセスを実行するグループユーザデバイスのコンテクスト情報を削除する。具体的な方法は、以下のとおりであり得る。サービングゲートウェイは、移動管理ネットワーク要素情報と、サービングゲートウェイ情報と、パケットデータネットワークゲートウェイ情報と、グループ数情報とを有する（記憶する）グループユーザデバイスコンテクスト、又は、パケットデータネットワークゲートウェイによって送信され且つステップＢ３０４で受信されたメッセージにしたがってサービングゲートウェイによって取得された移動管理ネットワーク要素情報と、パケットデータネットワークゲートウェイ情報と、グループ数情報とを有する（記憶する）グループユーザデバイスコンテクストを削除する。
【００８９】
サービングゲートウェイは、メッセージを移動管理ネットワーク要素に送信して、無効化が完了したことを通知してもよい。メッセージは、セッション削除リクエスト（Ｄｅｌｅｔｅ  Ｓｅｓｓｉｏｎ  Ｒｅｓｐｏｎｓｅ）メッセージであってもよい。実施形態は、メッセージの名称を制限するものではない。サービングゲートウェイによって送信されたメッセージは、サービングゲートウェイ情報と、パケットデータネットワークゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【００９０】
Ｂ３０６：移動管理ネットワーク要素は、サービングゲートウェイによって送信され且つステップＢ３０５で受信されたメッセージにしたがって、移動管理ネットワーク要素情報と、サービングゲートウェイ情報と、パケットデータネットワークゲートウェイ情報と、グループ数情報とを取得する。詳細については、ステップＢ２０６の実現方法を参照してもよい。
【００９１】
移動管理ネットワーク要素は、取得した情報にしたがって、移動管理ネットワーク要素を介してアクセスを実行するグループユーザデバイスのコンテクスト情報を削除する。具体的な方法は、以下のとおりであり得る。移動管理ネットワーク要素は、移動管理ネットワーク要素情報と、サービングゲートウェイ情報と、パケットデータネットワークゲートウェイ情報と、グループ数情報とを有する（記憶する）グループユーザデバイスコンテクスト、又は、サービングゲートウェイによって送信され且つステップＢ３０５で受信されたメッセージにしたがって移動管理ネットワーク要素によって取得されたサービングゲートウェイ情報と、パケットデータネットワークゲートウェイ情報と、グループ数情報とを有する（記憶する）グループユーザデバイスコンテクストを削除する。
【００９２】
＜第３の実施形態＞
本発明の実施形態は、Ｍ２Ｍアプリケーションに基づいたセッション管理方法を提供し、図３を参照すると、手順は、具体的に以下を含むことができる。
【００９３】
Ｃ１：移動管理ネットワーク要素が、グループユーザデバイスのゲートウェイ機器情報及びグループ数情報を取得する。
【００９４】
本プロセスにおいて、ゲートウェイ機器もまた、グループユーザデバイスの移動管理ネットワーク要素情報及びグループ数情報を取得し得る。移動管理ネットワーク要素情報及びグループ数情報、並びにゲートウェイ機器情報及びグループ数情報の表記形態について、第１の実施形態のステップＡ１０１の説明を参照してもよい。移動管理ネットワーク要素は、グループユーザデバイスのゲートウェイ機器情報及びグループ数情報を取得し、ゲートウェイ機器は、グループユーザデバイスの移動管理ネットワーク要素情報及びグループ数情報を取得し、これは、以下の手順を用いることによって具体的に実現し得る。
【００９５】
Ｃ１０１：ユーザデバイスが、アクセスリクエストメッセージを移動管理ネットワーク要素に送信する。アクセスリクエストメッセージは、ＰＤＰコンテクスト起動リクエスト（Ａｃｔｉｖｅ  ＰＤＰ  Ｃｏｎｔｅｘｔ  Ｒｅｑｕｅｓｔ）メッセージであってもよい。実施形態は、アクセスリクエストメッセージの名称を制限するものではない。
【００９６】
Ｃ１０２：移動管理ネットワーク要素は、グループユーザデバイスのグループ識別子を取得する。移動管理ネットワーク要素は、アクセスリクエストメッセージにしたがって又は取得した加入データにしたがって、グループのグループ識別子を取得してもよく、又は、ユーザデバイス又はグループのコンテクスト情報にしたがって、グループのグループ識別子を取得してもよい。実施形態は、移動管理ネットワーク要素がグループ識別子を取得する方法を制限するものではない。
【００９７】
移動管理ネットワーク要素は、メッセージをゲートウェイＧＰＲＳサポートノードに送信して、ＰＤＰコンテクストの起動をリクエストする。例えば、メッセージは、ＰＤＰコンテクスト起動リクエスト（Ａｃｔｉｖｅ  ＰＤＰ  Ｃｏｎｔｅｘｔ  Ｒｅｑｕｅｓｔ）メッセージであってもよい。実施形態は、メッセージの名称を制限するものではない。メッセージは、グループユーザデバイスの移動管理ネットワーク要素情報及びグループ数情報を含む。
【００９８】
Ｃ１０３：ゲートウェイＧＰＲＳサポートノードは、移動管理ネットワーク要素によって送信され且つステップＣ１０２で受信されたメッセージにしたがって、グループユーザデバイスの移動管理ネットワーク要素情報及びグループ数情報を取得する。
【００９９】
ゲートウェイＧＰＲＳサポートノードは、メッセージを移動管理ネットワーク要素に送信して、ＰＤＰコンテクストの起動を通知する。例えば、メッセージはＰＤＰコンテクスト起動応答（Ａｃｔｉｖｅ  ＰＤＰ  Ｃｏｎｔｅｘｔ  Ｒｅｓｐｏｎｓｅ）メッセージであってもよい。実施形態は、メッセージの名称を制限するものではない。メッセージは、グループユーザデバイスのゲートウェイＧＰＲＳサポートノード識別情報及びグループ数情報を含む。
【０１００】
Ｃ２：グループユーザデバイスのグループ情報の変化を取得すると、グループユーザデバイスのゲートウェイ機器情報及びグループ数情報にしたがって、移動管理ネットワーク要素は、ゲートウェイ機器に、グループユーザデバイスに対してＰＤＰコンテクスト変更処理を実行するように命令し、グループユーザデバイスに対してＰＤＰコンテクスト変更処理を実行する。
【０１０１】
グループユーザデバイスのゲートウェイ機器情報及びグループ数情報にしたがって、移動管理ネットワーク要素は、ゲートウェイ機器に、グループユーザデバイスに対してＰＤＰコンテクスト変更処理を実行するように命令し、グループユーザデバイスに対してＰＤＰコンテクスト変更処理を実行する。ＰＤＰコンテクスト変更処理は、ＰＤＰコンテクスト修正手順を含んでもよく、又はＰＤＰコンテクスト無効化手順を含んでもよい。具体的な手順は、以下を含み得る。
【０１０２】
手順１：移動管理ネットワーク要素は、グループユーザデバイスのグループ情報の変化を取得し、ゲートウェイ機器に、グループユーザデバイスに対してＰＤＰコンテクスト修正を実行するように命令し、グループユーザデバイスに対してＰＤＰコンテクスト修正を実行する。
【０１０３】
Ｃ２０１：移動管理ネットワーク要素（ＳＧＳＮ）は、ホーム加入データベース（ＨＬＲ）によって送信された加入データ挿入（Ｉｎｓｅｒｔ  Ｓｕｂｓｃｒｉｐｔｉｏｎ  Ｄａｔａ）メッセージを受信し、グループユーザデバイスの加入データの変化を取得する。あるいはまた、移動管理ネットワーク要素は、構成情報の変化によって（例えば、Ｏ＆Ｍ干渉によって）、グループユーザデバイスのグループ情報の変化を取得する。
【０１０４】
Ｃ２０２：移動管理ネットワーク要素は、グループユーザデバイスのＰＤＰコンテクスト修正手順を開始し、グループユーザデバイスのＰＤＰコンテクストを修正する。同一の移動管理ネットワーク要素情報と、ゲートウェイＧＰＲＳサポートノード情報と、グループ数情報とは、グループユーザデバイスを一意に示し得る。
【０１０５】
移動管理ネットワーク要素は、メッセージをゲートウェイＧＰＲＳサポートノードに送信して、ＰＤＰコンテクストの更新をリクエストする。メッセージは、ＰＤＰコンテクスト更新リクエスト（Ｕｐｄａｔｅ  ＰＤＰ  Ｃｏｎｔｅｘｔ  Ｒｅｑｕｅｓｔ）メッセージであってもよい。実施形態は、メッセージの名称を制限するものではない。メッセージは、移動管理ネットワーク要素情報及びグループ数情報を含んでもよく、又は、移動管理ネットワーク要素情報と、ゲートウェイＧＰＲＳサポートノード情報と、グループ数情報とを含んでもよく、実施形態によって制限されない。
【０１０６】
移動管理ネットワーク要素は、メッセージをゲートウェイＧＰＲＳサポートノードに送信し、これは、複数の既存のＰＤＰコンテクスト更新リクエストメッセージが、ユーザデバイス粒度に基づいて送信されるのではなく、メッセージが、同一の移動管理ネットワーク要素情報と、ゲートウェイＧＰＲＳサポートノード情報と、グループ数情報とを有するグループユーザデバイスのゲートウェイＧＰＲＳサポートノードに送信されることであってもよい。
【０１０７】
Ｃ２０３：ゲートウェイＧＰＲＳサポートノードは、移動管理ネットワーク要素によって送信され且つステップＣ２０２で受信されたメッセージにしたがって、移動管理ネットワーク要素情報と、ゲートウェイＧＰＲＳサポートノード情報と、グループ数情報とを取得し、これは、以下によって具体的に実現し得る。
【０１０８】
受信したメッセージが、移動管理ネットワーク要素情報及びグループ数情報のみを含む場合、ゲートウェイＧＰＲＳサポートノードは、このメッセージから、移動管理ネットワーク要素情報及びグループ数情報を取得し得る。加えて、ゲートウェイＧＰＲＳサポートノードはさらに、移動管理ネットワーク要素情報及びグループ数情報にしたがって、ゲートウェイＧＰＲＳサポートノードを介してアクセスを実行する全ユーザデバイスのコンテクストにある移動管理ネットワーク要素情報及びグループ数情報を照合し得る。照合されると、ゲートウェイＧＰＲＳサポートノードは、ユーザデバイコンテクスト情報にしたがって自身の情報（ゲートウェイＧＰＲＳサポートノード情報）を取得し得る。
【０１０９】
あるいはまた、受信したメッセージが、移動管理ネットワーク要素情報と、ゲートウェイＧＰＲＳサポートノード情報と、グループ数情報とを含む場合、ゲートウェイＧＰＲＳサポートノードは、このメッセージから、移動管理ネットワーク要素情報と、ゲートウェイＧＰＲＳサポートノード情報と、グループ数情報とを取得し得る。
【０１１０】
ゲートウェイＧＰＲＳサポートノードは、取得した情報にしたがって、ゲートウェイＧＰＲＳサポートノードを介してアクセスを実行するグループユーザデバイスのＰＤＰコンテクスト情報を更新する。具体的な方法は、以下のとおりであり得る。ゲートウェイＧＰＲＳサポートノードは、移動管理ネットワーク要素情報及びグループ数情報を有する（記憶する）グループユーザデバイスＰＤＰコンテクスト、又は、移動管理ネットワーク要素によって送信され且つステップＣ２０２で受信されたメッセージにしたがってゲートウェイＧＰＲＳサポートノードによって取得された移動管理ネットワーク要素情報と、ゲートウェイＧＰＲＳサポートノード情報と、グループ数情報とを有する（記憶する）グループユーザデバイスＰＤＰコンテクストを更新する。
【０１１１】
ゲートウェイＧＰＲＳサポートノードは、メッセージを移動管理ネットワーク要素に送信して、ＰＤＰコンテクストの更新が完了したことを通知する。メッセージは、ＰＤＰコンテクスト更新応答（Ｕｐｄａｔｅ  ＰＤＰ  Ｃｏｎｔｅｘｔ  Ｒｅｓｐｏｎｓｅ）メッセージであってもよい。実施形態は、メッセージの名称を制限するものではない。ゲートウェイＧＰＲＳサポートノードによって送信されたメッセージは、ゲートウェイＧＰＲＳサポートノード情報及びグループ数情報を含んでもよく、又は、移動管理ネットワーク要素情報と、ゲートウェイＧＰＲＳサポートノード情報と、グループ数情報とを含んでもよく、実施形態によって制限されない。
【０１１２】
Ｃ２０４：移動管理ネットワーク要素は、ゲートウェイＧＰＲＳサポートノードによって送信され且つステップＣ２０３で受信されたメッセージにしたがって、移動管理ネットワーク要素情報と、ゲートウェイＧＰＲＳサポートノード情報と、グループ数情報とを取得し、これは、以下によって具体的に実現し得る。
【０１１３】
受信したメッセージが、ゲートウェイＧＰＲＳサポートノード情報及びグループ数情報のみを含む場合、移動管理ネットワーク要素は、このメッセージから、ゲートウェイＧＰＲＳサポートノード情報及びグループ数情報を取得し得る。加えて、移動管理ネットワーク要素は、取得したゲートウェイＧＰＲＳサポートノード情報及びグループ数情報にしたがって、移動管理ネットワーク要素を介してアクセスを実行する全ユーザデバイスのコンテクストにあるゲートウェイＧＰＲＳサポートノード情報及びグループ数情報を照合し得る。照合されると、移動管理ネットワーク要素は、ユーザデバイスコンテクスト情報にしたがって自身の情報（移動管理ネットワーク要素情報）を取得し得る。
【０１１４】
あるいはまた、受信したメッセージが、移動管理ネットワーク要素情報と、ゲートウェイＧＰＲＳサポートノード情報と、グループ数情報とを含む場合、移動管理ネットワーク要素は、このメッセージから、移動管理ネットワーク要素情報と、ゲートウェイＧＰＲＳサポートノード情報と、グループ数情報とを取得し得る。
【０１１５】
移動管理ネットワーク要素は、取得した情報にしたがって、移動管理ネットワーク要素を介してアクセスを実行するグループユーザデバイスのＰＤＰコンテクスト情報を更新する。具体的な方法は、以下のとおりであり得る。移動管理ネットワーク要素は、ゲートウェイＧＰＲＳサポートノード情報及びグループ数情報を有する（記憶する）グループユーザデバイスＰＤＰコンテクスト、又は、ゲートウェイＧＰＲＳサポートノードによって送信され且つステップＣ２０３で受信されたメッセージにしたがって移動管理ネットワーク要素によって取得された移動管理ネットワーク要素情報と、ゲートウェイＧＰＲＳサポートノード情報と、グループ数情報とを有する（記憶する）グループユーザデバイスＰＤＰコンテクストを更新する。
【０１１６】
手順２：移動管理ネットワーク要素は、グループユーザデバイスのグループ情報の変化を取得し、ゲートウェイ機器に、グループユーザデバイスに対してＰＤＰコンテクスト無効化を実行するように命令し、グループユーザデバイスに対してＰＤＰコンテクスト無効化を実行する。
【０１１７】
Ｃ３０１：移動管理ネットワーク要素（ＳＧＳＮ）は、ホーム加入データベース（ＨＬＲ）によって送信された加入データ挿入（Ｉｎｓｅｒｔ  Ｓｕｂｓｃｒｉｐｔｉｏｎ  Ｄａｔａ）メッセージを受信し、グループユーザデバイスのグループ加入データの変化（例えば、オリジナルの加入データのＡＰＮが、更新済み加入データでは使用不可能であること）を取得するか、又は、移動管理ネットワーク要素は、構成情報の変化によって（例えば、Ｏ＆Ｍ干渉によって）、グループユーザデバイスのグループ情報の変化を取得するか、又は、移動管理ネットワーク要素は、自身のリソースが不十分であることを取得すると、グループユーザデバイスのＰＤＰコンテクストを無効化する必要がある。
【０１１８】
Ｃ３０２：移動管理ネットワーク要素は、グループユーザデバイスのＰＤＰコンテクスト無効化手順を開始し、グループユーザデバイスのコンテクストを無効化する。同一の移動管理ネットワーク要素情報と、ゲートウェイＧＰＲＳサポートノード情報と、グループ数情報とは、グループユーザデバイスを一意に示し得る。ＰＤＰコンテクスト無効化手順はさらに、分離手順を含んでもよい。
【０１１９】
移動管理ネットワーク要素は、メッセージをゲートウェイＧＰＲＳサポートノードに送信して、ＰＤＰコンテクストの削除をリクエストする。メッセージは、ＰＤＰコンテクスト削除リクエスト（Ｄｅｌｅｔｅ  ＰＤＰ  Ｃｏｎｔｅｘｔ  Ｒｅｑｕｅｓｔ）メッセージであってもよい。実施形態は、メッセージの名称を制限するものではない。メッセージは、移動管理ネットワーク要素情報及びグループ数情報を含んでもよく、又は、移動管理ネットワーク要素情報と、ゲートウェイＧＰＲＳサポートノード情報と、グループ数情報とを含んでもよく、実施形態によって制限されない。
【０１２０】
移動管理ネットワーク要素は、メッセージをゲートウェイＧＰＲＳサポートノードに送信し、これは、複数の既存のＰＤＰコンテクスト更新無効化メッセージが、ユーザデバイス粒度に基づいて送信されるのではなく、メッセージが、同一の移動管理ネットワーク要素情報と、ゲートウェイＧＰＲＳサポートノード情報と、グループ数情報とを有するグループユーザデバイスのゲートウェイＧＰＲＳサポートノードに送信されるということであってもよい。
【０１２１】
Ｃ３０３：ゲートウェイＧＰＲＳサポートノードは、移動管理ネットワーク要素によって送信され且つステップＣ３０２で受信されたメッセージにしたがって、移動管理ネットワーク要素情報と、ゲートウェイＧＰＲＳサポートノード情報と、グループ数情報とを取得する。詳細については、ステップＣ２０３の実現方法を参照してもよい。
【０１２２】
ゲートウェイＧＰＲＳサポートノードは、上記情報にしたがって、ゲートウェイＧＰＲＳサポートノードを介してアクセスを実行するグループユーザデバイスのＰＤＰコンテクストを無効化する。具体的な方法は、以下のとおりであり得る。ゲートウェイＧＰＲＳサポートノードは、移動管理ネットワーク要素情報及びグループ数情報を有する（記憶する）グループユーザデバイスＰＤＰコンテクスト、又は、移動管理ネットワーク要素によって送信され且つステップＣ３０２で受信されたメッセージにしたがってゲートウェイＧＰＲＳサポートノードによって取得された移動管理ネットワーク要素情報と、ゲートウェイＧＰＲＳサポートノード情報と、グループ数情報とを有する（記憶する）グループユーザデバイスＰＤＰコンテクストを削除する。
【０１２３】
ゲートウェイＧＰＲＳサポートノードは、メッセージを移動管理ネットワーク要素に送信して、ＰＤＰコンテクストの無効化が完了したことを通知してもよい。メッセージは、ＰＤＰコンテクスト削除応答（Ｄｅｌｅｔｅ  ＰＤＰ  Ｃｏｎｔｅｘｔ  Ｒｅｓｐｏｎｓｅ）メッセージであってもよい。実施形態は、メッセージの名称を制限するものではない。ゲートウェイＧＰＲＳサポートノードによって送信されたメッセージは、ゲートウェイＧＰＲＳサポートノード情報及びグループ数情報を含んでもよく、又は、移動管理ネットワーク要素情報と、ゲートウェイＧＰＲＳサポートノード情報と、グループ数情報とを含んでもよく、実施形態によって制限されない。
【０１２４】
Ｃ３０４：移動管理ネットワーク要素は、ゲートウェイＧＰＲＳサポートノードによって送信され且つステップＣ３０３で受信されたメッセージにしたがって、移動管理ネットワーク要素情報と、ゲートウェイＧＰＲＳサポートノード情報と、グループ数情報とを取得する。詳細については、ステップＣ２０４を参照してもよい。
【０１２５】
移動管理ネットワーク要素は、取得した情報にしたがって、移動管理ネットワーク要素を介してアクセスを実行するグループユーザデバイスのＰＤＰコンテクストを無効化する。具体的な方法は、以下のとおりであり得る。移動管理ネットワーク要素は、ゲートウェイＧＰＲＳサポートノード情報及びグループ数情報を有する（記憶する）ユーザデバイスＰＤＰコンテクスト、又は、ゲートウェイＧＰＲＳサポートノードによって送信され且つステップＣ３０３で受信されたメッセージにしたがって移動管理ネットワーク要素によって取得された移動管理ネットワーク要素情報と、ゲートウェイＧＰＲＳサポートノード情報と、グループ数情報とを有する（記憶する）ユーザデバイスＰＤＰコンテクストを削除する。
【０１２６】
＜第４の実施形態＞
本発明の実施形態は、Ｍ２Ｍアプリケーションに基づいたセッション管理方法を提供し、図４を参照すると、本実施形態の手順は、以下を含むことができる。
【０１２７】
Ｄ１０１：グループユーザデバイスの移動管理ネットワーク要素情報及びグループ数情報を取得する。
【０１２８】
グループユーザデバイスの移動管理ネットワーク要素情報及びグループ数情報を取得する具体的なプロセスについて、ステップＡ１０１の説明を参照してもよい。
【０１２９】
移動管理ネットワーク要素（ＭＭＥ／ＳＧＳＮ）及びゲートウェイ機器（ＳＧＷ／ＰＧＷ／ＧＧＳＮ）は、移動管理ネットワーク要素情報と、ゲートウェイ機器情報と、グループ数情報とを、グループユーザデバイスのベアラコンテクスト／ＰＤＰコンテクストに記憶し得る。（移動管理ネットワーク要素及びゲートウェイ機器を含む）ネットワーク機器は、移動管理ネットワーク要素情報と、ゲートウェイ機器情報と、グループ数情報とによって、グループユーザデバイスを一意に識別する。グループユーザデバイスは、同一の移動管理ネットワーク要素及び同一のゲートウェイ機器に取り付けられる。
【０１３０】
移動管理ネットワーク要素情報及びグループ数情報、並びにゲートウェイ機器情報及びグループ数情報の表記形態について、ステップＡ１０１の説明を参照してもよい。
【０１３１】
Ｄ１０２：グループユーザデバイスのグループ情報の変化を取得し、グループユーザデバイスの移動管理ネットワーク要素情報及びグループ数情報にしたがって、移動管理ネットワーク要素に、グループユーザデバイスに対してベアラ変更処理を実行するように命令し、グループユーザデバイスに対してベアラ変更処理を実行する。
【０１３２】
グループユーザデバイスのグループ情報の変化を取得することは、ゲートウェイ機器（例えば、パケットデータネットワークゲートウェイ又はゲートウェイＧＰＲＳサポートノード）が、ポリシー及び課金ルール機能（ｐｏｌｉｃｙ  ａｎｄ  ｃｈａｒｇｉｎｇ  ｒｕｌｅｓ  ｆｕｎｃｔｉｏｎ，ＰＣＲＦ）エンティティによって送信されたＰＣＣメッセージ（例えば、Ｐｏｌｉｃｙ  ａｎｄ  Ｃｈａｒｇｉｎｇ  Ｒｕｌｅｓ  Ｒｅｓｐｏｎｓｅメッセージ）を受信し、グループＰＣＣルールの変化を取得することでもよく、又は、ゲートウェイ機器（例えば、パケットデータネットワークゲートウェイ）が、移動管理ネットワーク要素によって送信されたメッセージを受信し（例えば、移動管理ネットワーク要素が、ベアラ修正コマンドメッセージをサービングゲートウェイに送信し、次いで、サービングゲートウェイが、ベアラ修正コマンドメッセージをパケットデータネットワークゲートウェイに送信する）、グループユーザデバイスＱｏＳの変化を取得することでもよく、又は、ゲートウェイ機器（例えば、パケットデータネットワークゲートウェイ又はゲートウェイＧＰＲＳサポートノード）が、構成情報の変化によって（例えば、Ｏ＆Ｍ干渉によって）、グループ情報の変化を取得することであってもよい。ベアラ変更処理は、ベアラ修正手順を含んでもよく、又はベアラ無効化手順を含んでもよい。ベアラ無効化手順はさらに、分離手順を含んでもよい。ＧＥＲＡＮ／ＵＴＲＡＮシステムにおいて、ベアラはＰＤＰコンテクストであってもよい。
【０１３３】
ゲートウェイ機器は、グループユーザデバイスの移動管理ネットワーク要素情報及びグループ数情報にしたがって、移動管理ネットワーク要素に、グループユーザデバイスに対してベアラ変更処理を実行するように命令し、グループユーザデバイスに対してベアラ変更処理を実行する。同一の移動管理ネットワーク要素情報と、サービングゲートウェイ情報と、パケットデータネットワークゲートウェイ情報と、グループ数情報とは、グループユーザデバイスを一意に示し得る。具体的なプロセスは、以下のとおりであり得る。
【０１３４】
ゲートウェイ機器は、グループユーザデバイスのステップＤ１０１で取得されたゲートウェイ機器情報及びグループ数情報にしたがって、セッション管理リクエストメッセージを移動管理ネットワーク要素に送信し（例えば、ＰＧＷが、ベアラ更新リクエスト／ベアラ削除リクエストメッセージをＳＧＷに送信し（ＰＧＷによって送信されたメッセージは、グループユーザデバイスのパケットデータネットワークゲートウェイ情報と、移動管理ネットワーク要素情報と、グループ数情報とを含む）、次いで、ＳＧＷが、ベアラ更新リクエスト／ベアラ削除リクエストメッセージをＭＭＥ／ＳＧＳＮに送信するか（ＳＧＷによって送信されたメッセージは、グループユーザデバイスのサービングゲートウェイ情報と、パケットデータネットワークゲートウェイ情報と、グループ数情報とを含む）、又は、ＧＧＳＮが、ＰＤＰコンテクスト更新リクエスト／ＰＤＰコンテクスト削除リクエストメッセージをＳＧＳＮに送信し（ＧＧＳＮによって送信されたメッセージは、グループユーザデバイスのゲートウェイＧＰＲＳサポートノード情報及びグループ数情報を含む））、移動管理ネットワーク要素に、ベアラ変更処理を実行するように命令する。移動管理ネットワーク要素は、セッション管理リクエストメッセージにしたがって、グループユーザデバイスの移動管理ネットワーク要素情報と、ゲートウェイ情報と、グループ数情報とを取得し（例えば、ＭＭＥが、ＳＧＷによって送信されたメッセージにしたがって、グループユーザデバイスの移動管理ネットワーク要素情報と、サービングゲートウェイ情報と、パケットデータネットワークゲートウェイ情報と、グループ数情報とを取得するか、又は、ＳＧＳＮが、ＧＧＳＮによって送信されたメッセージにしたがって、グループユーザデバイスの移動管理ネットワーク要素情報と、ゲートウェイＧＰＲＳサポートノード情報と、グループ数情報とを取得する）、取得した情報にしたがって、グループユーザデバイスのコンテクスト及び移動管理ネットワーク要素に対してベアラ変更処理を実行する。グループユーザデバイスは、同一の移動管理ネットワーク要素情報と、ゲートウェイ情報と、グループ数情報とを有する。
【０１３５】
移動管理ネットワーク要素は、セッション管理メッセージをゲートウェイ機器に返信する（例えば、ＭＭＥ／ＳＧＳＮは、ベアラ更新応答／ベアラ削除応答メッセージをＳＧＷに送信し（ＭＭＥ／ＳＧＳＮによって送信されたメッセージは、グループユーザデバイスの移動管理ネットワーク要素情報と、パケットデータネットワークゲートウェイ情報と、グループ数情報とを含む）、次いで、ＳＧＷが、ベアラ更新応答／ベアラ削除応答メッセージをＰＧＷに送信し（ＳＧＷによって送信されたメッセージは、グループユーザデバイスのサービングゲートウェイ情報と、移動管理ネットワーク要素情報と、グループ数情報とを含む）、又は、ＳＧＳＮが、ＰＤＰコンテクスト更新応答／ＰＤＰコンテクスト削除応答メッセージをＧＧＳＮに送信する（ＳＧＳＮによって送信されたメッセージは、グループユーザデバイスの移動管理ネットワーク要素情報及びグループ数情報を含む））。ゲートウェイ機器は、セッション管理リクエストメッセージにしたがって、グループユーザデバイスの移動管理ネットワーク要素情報と、ゲートウェイ情報と、グループ数情報とを取得し（例えば、ＰＧＷが、ＳＧＷによって送信されたメッセージにしたがって、グループユーザデバイスの移動管理ネットワーク要素情報と、サービングゲートウェイ情報と、パケットデータネットワークゲートウェイ情報と、グループ数情報とを取得するか、又は、ＧＧＳＮが、ＳＧＳＮによって送信されたメッセージにしたがって、グループユーザデバイスの移動管理ネットワーク要素情報と、ゲートウェイＧＰＲＳサポートノード情報と、グループ数情報とを取得する）、取得した情報にしたがって、グループユーザデバイスのコンテクスト及びゲートウェイ機器に対してベアラ変更処理を実行する。グループユーザデバイスは、同一の移動管理ネットワーク要素情報と、ゲートウェイ情報と、グループ数情報とを有する。
【０１３６】
本発明の実施形態において、ゲートウェイ機器は、グループユーザデバイスの移動管理ネットワーク要素情報（つまり、ゲートウェイ機器は、グループユーザデバイスを提供する移動管理ネットワーク要素の情報を取得する）及びグループ数情報を取得し、グループユーザデバイスのグループ情報の変化を取得すると、グループユーザデバイスの移動管理ネットワーク要素情報及びグループ数情報にしたがって、且つグループ粒度に基づいて、移動管理ネットワーク要素に、グループユーザデバイスに対してベアラ変更処理を実行するように命令し、グループユーザデバイスに対してベアラ変更処理を実行し得るので、ネットワーク側のシグナリングオーバーヘッドを削減することによって、シグナリング輻輳がネットワーク側に生じるのを防止し、ネットワーク負荷を削減することができる。
【０１３７】
＜第５の実施形態＞
本発明の実施形態は、Ｍ２Ｍアプリケーションに基づいたセッション管理方法を提供し、図５を参照すると、手順は、具体的に以下を含むことができる。
【０１３８】
Ｅ１：ゲートウェイ機器が、グループユーザデバイスの移動管理ネットワーク要素情報及びグループ数情報を取得する。
【０１３９】
本プロセスにおいて、移動管理ネットワーク要素もまた、グループユーザデバイスのゲートウェイ機器情報及びグループ数情報を取得し得る。移動管理ネットワーク要素情報及びグループ数情報、並びにゲートウェイ機器情報及びグループ数情報の表記形態について、第１の実施形態のステップＡ１０１の説明を参照してもよい。移動管理ネットワーク要素は、グループユーザデバイスのゲートウェイ機器情報及びグループ数情報を取得し、ゲートウェイ機器は、グループユーザデバイスの移動管理ネットワーク要素情報及びグループ数情報を取得する。詳細については、第２の実施形態のステップＢ１の実現方法を参照してもよい。
【０１４０】
Ｅ２：グループユーザデバイスのグループ情報の変化を取得すると、ネットワーク機器は、グループユーザデバイスの移動管理ネットワーク要素情報及びグループ数情報にしたがって、移動管理ネットワーク要素に、グループユーザデバイスに対してベアラ変更処理を実行するように命令し、グループユーザデバイスに対してベアラ変更処理を実行する。
【０１４１】
グループユーザデバイスのゲートウェイ機器情報及びグループ数情報にしたがって、ネットワーク機器は、移動管理ネットワーク要素に、グループユーザデバイスに対してベアラ変更処理を実行するように命令し、グループユーザデバイスに対してベアラ変更処理を実行する。ベアラ変更処理は、ベアラ修正手順を含んでもよく、又はベアラ無効化手順を含んでもよい。具体的な手順は、以下を含み得る。
【０１４２】
手順１：ゲートウェイ機器は、グループユーザデバイスのグループ情報の変化を取得し、移動管理ネットワーク要素に、グループユーザデバイスに対してベアラ修正を実行するように命令し、グループユーザデバイスに対してベアラ修正を実行する。
【０１４３】
Ｅ２０１：ゲートウェイ機器（ＰＧＷ）は、ポリシー及び課金ルール機能エンティティ（ＰＣＲＦ）によって送信されたＰＣＣメッセージ（例えば、Ｐｏｌｉｃｙ  ａｎｄ  Ｃｈａｒｇｉｎｇ  Ｒｕｌｅｓ  Ｒｅｓｐｏｎｓｅメッセージ）を受信し、グループユーザデバイスのＰＣＣルールの変化を取得するか、又は、ゲートウェイ機器（例えば、パケットデータネットワークゲートウェイ）は、移動管理ネットワーク要素によって送信されたメッセージを受信し（例えば、移動管理ネットワーク要素が、ベアラ修正コマンドメッセージをサービングゲートウェイに送信し、次いで、サービングゲートウェイが、ベアラ修正コマンドメッセージをパケットデータネットワークゲートウェイに送信する）、グループユーザデバイスの情報の変化（例えば、グループＱｏＳ情報の変化）を取得するか、又は，ゲートウェイ機器（例えば、パケットデータネットワークゲートウェイ又はゲートウェイＧＰＲＳサポートノード）は、構成情報の変化によって（例えば、Ｏ＆Ｍ干渉によって）、グループユーザデバイスのグループ情報の変化を取得する。
【０１４４】
Ｅ２０２：パケットデータネットワークゲートウェイは、グループユーザデバイスのベアラ修正手順を開始し、グループユーザデバイスのコンテクストを修正する。同一の移動管理ネットワーク要素情報と、同一のサービングゲートウェイ情報と、同一のパケットデータネットワークゲートウェイ情報と、同一のグループ数情報とは、グループユーザデバイスを一意に示し得る。
【０１４５】
パケットデータネットワークゲートウェイは、メッセージをサービングゲートウェイに送信する。メッセージは、ベアラ更新リクエスト（Ｕｐｄａｔｅ  Ｂｅａｒｅｒ  Ｒｅｑｕｅｓｔ）メッセージであってもよい。実施形態は、メッセージの名称を制限するものではない。メッセージは、移動管理ネットワーク要素情報と、パケットデータネットワークゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【０１４６】
パケットデータネットワークゲートウェイは、メッセージをサービングゲートウェイに送信し、これは、複数の既存のベアラ修正リクエストメッセージが、ユーザデバイス粒度に基づいて送信されるのではなく、メッセージが、同一の移動管理ネットワーク要素情報と、サービングゲートウェイ情報と、パケットデータネットワークゲートウェイ情報と、グループ数情報とを有するグループユーザデバイスのサービングゲートウェイに送信されるということであってもよい。
【０１４７】
Ｅ２０３：サービングゲートウェイは、パケットデータサービングゲートウェイによって送信され且つステップＥ２０４で受信されたメッセージにしたがって、移動管理ネットワーク要素情報と、サービングゲートウェイ情報と、パケットデータネットワークゲートウェイ情報と、グループ数情報とを取得し、これは、以下によって具体的に実現し得る。
【０１４８】
受信したメッセージが、移動管理ネットワーク要素情報と、パケットデータネットワークゲートウェイ情報と、グループ数情報とを含む場合、サービングゲートウェイは、このメッセージから、移動管理ネットワーク要素情報と、パケットデータネットワークゲートウェイ情報と、グループ数情報とを取得し得る。加えて、サービングゲートウェイは、取得した移動管理ネットワーク要素情報と、パケットデータネットワークゲートウェイ情報と、グループ数情報とにしたがって、サービングゲートウェイを介してアクセスを実行する全ユーザデバイスのコンテクストにある移動管理ネットワーク要素情報と、パケットデータネットワークゲートウェイ情報と、グループ数情報とを照合し得る。照合されると、サービングゲートウェイは、ユーザデバイスコンテクスト情報にしたがって自身の情報（サービングゲートウェイ情報）を取得し得る。
【０１４９】
あるいはまた、受信したメッセージが、移動管理ネットワーク要素情報と、サービングゲートウェイ情報と、パケットデータネットワークゲートウェイ情報と、グループ数情報とを含む場合、サービングゲートウェイは、このメッセージから、移動管理ネットワーク要素情報と、サービングゲートウェイ情報と、パケットデータネットワークゲートウェイ情報と、グループ数情報とを取得し得る。
【０１５０】
サービングゲートウェイは、メッセージを移動管理ネットワーク要素に送信してもよい。メッセージは、ベアラ更新リクエスト（Ｕｐｄａｔｅ  Ｂｅａｒｅｒ  Ｒｅｑｕｅｓｔ）メッセージであってもよい。実施形態は、メッセージの名称を制限するものではない。サービングゲートウェイによって送信されたメッセージは、パケットデータネットワークゲートウェイ情報と、サービングゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【０１５１】
Ｅ２０４：移動管理ネットワーク要素は、サービングゲートウェイによって送信され且つステップＥ２０３で受信されたメッセージにしたがって、移動管理ネットワーク要素情報と、サービングゲートウェイ情報と、パケットデータネットワークゲートウェイ情報と、グループ数情報とを取得し、これは、以下によって具体的に実現し得る。
【０１５２】
受信したメッセージが、サービングゲートウェイ情報と、パケットデータネットワークゲートウェイ情報と、グループ数情報とのみを含む場合、移動管理ネットワーク要素は、このメッセージから、サービングゲートウェイ情報と、パケットデータネットワークゲートウェイ情報と、グループ数情報とを取得し得る。加えて、移動管理ネットワーク要素はさらに、取得したサービングゲートウェイ情報と、パケットデータネットワークゲートウェイ情報と、グループ数情報とにしたがって、移動管理ネットワーク要素を介してアクセスを実行する全ユーザデバイスのコンテクストにあるサービングゲートウェイ情報と、パケットデータネットワークゲートウェイ情報と、グループ数情報とを照合し得る。照合されると、移動管理ネットワーク要素は、ユーザデバイスコンテクスト情報にしたがって自身の情報（移動管理ネットワーク要素情報）を取得し得る。
【０１５３】
あるいはまた、受信したメッセージが、移動管理ネットワーク要素情報と、サービングゲートウェイ情報と、パケットデータネットワークゲートウェイ情報と、グループ数情報とを含む場合、移動管理ネットワーク要素は、このメッセージから、移動管理ネットワーク要素情報と、サービングゲートウェイ情報と、パケットデータネットワークゲートウェイ情報と、グループ数情報とを取得し得る。
【０１５４】
移動管理ネットワーク要素は、取得した情報にしたがって、移動管理ネットワーク要素を介してアクセスを実行するグループユーザデバイスのコンテクスト情報を更新する。具体的な方法は、以下のとおりであり得る。移動管理ネットワーク要素は、移動管理ネットワーク要素情報と、サービングゲートウェイ情報と、パケットデータネットワークゲートウェイ情報と、グループ数情報とを有する（記憶する）グループユーザデバイスコンテクスト、又は、サービングゲートウェイによって送信され且つステップＥ２０３で受信されたメッセージにしたがって移動管理ネットワーク要素によって取得されたサービングゲートウェイ情報と、パケットデータネットワークゲートウェイ情報と、グループ数情報とを有する（記憶する）グループユーザデバイスコンテクストを更新する。
【０１５５】
移動管理ネットワーク要素は、メッセージをサービングゲートウェイに送信して、ベアラの更新が完了したことを確認してもよい。メッセージは、ベアラ更新応答（Ｕｐｄａｔｅ  Ｂｅａｒｅｒ  Ｒｅｓｐｏｎｓｅ）メッセージであってもよい。実施形態は、メッセージの名称を制限するものではない。メッセージは、移動管理ネットワーク要素情報と、パケットデータネットワークゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【０１５６】
Ｅ２０５：サービングゲートウェイは、移動管理ネットワーク要素によって送信され且つステップＥ２０４で受信されたメッセージにしたがって、移動管理ネットワーク要素情報と、サービングゲートウェイ情報と、パケットデータネットワークゲートウェイ情報と、グループ数情報とを取得し、これは、以下によって具体的に実現し得る。
【０１５７】
受信したメッセージが、移動管理ネットワーク要素情報と、パケットデータネットワークゲートウェイ情報と、グループ数情報とのみを含む場合、サービングゲートウェイは、このメッセージから、移動管理ネットワーク要素情報と、パケットデータネットワークゲートウェイ情報と、グループ数情報とを取得し得る。加えて、サービングゲートウェイはさらに、取得した移動管理ネットワーク要素情報と、パケットデータネットワークゲートウェイ情報と、グループ数情報とにしたがって、サービングゲートウェイを介してアクセスを実行する全ユーザデバイスのコンテクストにある移動管理ネットワーク要素情報と、パケットデータネットワークゲートウェイ情報と、グループ数情報とを照合し得る。照合されると、サービングゲートウェイは、ユーザデバイスコンテクスト情報にしたがって自身の情報（サービングゲートウェイ情報）を取得し得る。
【０１５８】
あるいはまた、受信したメッセージが、移動管理ネットワーク要素情報と、サービングゲートウェイ情報と、パケットデータネットワークゲートウェイ情報と、グループ数情報とを含む場合、サービングゲートウェイは、このメッセージから、移動管理ネットワーク要素情報と、サービングゲートウェイ情報と、パケットデータネットワークゲートウェイ情報と、グループ数情報とを取得し得る。
【０１５９】
サービングゲートウェイは、取得した情報にしたがって、サービングゲートウェイを介してアクセスを実行するグループユーザデバイスのコンテクスト情報を更新する。具体的な方法は、以下のとおりであり得る。サービングゲートウェイは、移動管理ネットワーク要素情報と、サービングゲートウェイ情報と、パケットデータネットワークゲートウェイ情報と、グループ数情報とを有する（記憶する）グループユーザデバイスコンテクスト、又は、パケットデータサービングゲートウェイによって送信され且つステップＥ２０４で受信されたメッセージにしたがってサービングゲートウェイによって取得された移動管理ネットワーク要素情報と、パケットデータネットワークゲートウェイ情報と、グループ数情報とを有する（記憶する）グループユーザデバイスコンテクストを更新する。
【０１６０】
サービングゲートウェイは、メッセージをパケットデータネットワークゲートウェイに送信して、ベアラの更新が完了したことを通知する。メッセージは、ベアラ更新応答（Ｕｐｄａｔｅ  Ｂｅａｒｅｒ  Ｒｅｓｐｏｎｓｅ）メッセージであってもよい。実施形態は、メッセージの名称を制限するものではない。サービングゲートウェイによって送信されたメッセージは、サービングゲートウェイ情報と、移動管理ネットワーク要素情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【０１６１】
Ｅ２０６：パケットデータネットワークゲートウェイは、サービングゲートウェイによって送信され且つステップＥ２０５で受信されたメッセージにしたがって、移動管理ネットワーク要素情報と、サービングゲートウェイ情報と、パケットデータネットワークゲートウェイ情報と、グループ数情報とを取得し、これは、以下によって具体的に実現し得る。
【０１６２】
受信したメッセージが、移動管理ネットワーク要素情報と、サービングゲートウェイ情報と、グループ数情報とのみを含む場合、パケットデータネットワークゲートウェイは、このメッセージから、移動管理ネットワーク要素情報と、サービングゲートウェイ情報と、グループ数情報とを取得し得る。加えて、パケットデータネットワークゲートウェイはさらに、取得した移動管理ネットワーク要素情報と、サービングゲートウェイ情報と、グループ数情報とにしたがって、パケットデータネットワークゲートウェイを介してアクセスを実行する全ユーザデバイスのコンテクストにある移動管理ネットワーク要素情報と、サービングゲートウェイ情報と、グループ数情報とを照合し得る。照合されると、パケットデータネットワークゲートウェイは、ユーザデバイスコンテクスト情報にしたがって自身の情報（パケットデータネットワークゲートウェイ情報）を取得し得る。
【０１６３】
あるいはまた、受信したメッセージが、移動管理ネットワーク要素情報と、サービングゲートウェイ情報と、パケットデータネットワークゲートウェイ情報と、グループ数情報とを含む場合、パケットデータネットワークゲートウェイは、このメッセージから、移動管理ネットワーク要素情報と、サービングゲートウェイ情報と、パケットデータネットワークゲートウェイ情報と、グループ数情報とを取得し得る。
【０１６４】
パケットデータネットワークゲートウェイは、取得した情報にしたがって、パケットデータネットワークゲートウェイを介してアクセスを実行するグループユーザデバイスのコンテクスト情報を更新する。具体的な方法は、以下のとおりであり得る。パケットデータネットワークゲートウェイは、移動管理ネットワーク要素情報と、サービングゲートウェイ情報と、パケットデータネットワークゲートウェイ情報と、グループ数情報とを有する（記憶する）グループユーザデバイスコンテクスト、又は、サービングゲートウェイによって送信され且つステップＥ２０５で受信されたメッセージにしたがってパケットデータネットワークゲートウェイによって取得された移動管理ネットワーク要素情報と、サービングゲートウェイ情報と、グループ数情報とを有する（記憶する）グループユーザデバイスコンテクストを更新する。
【０１６５】
手順２：ゲートウェイ機器は、グループユーザデバイスのグループ情報の変化を取得し、移動管理ネットワーク要素に、グループユーザデバイスに対してベアラ無効化を実行するように命令し、グループユーザデバイスに対してベアラ無効化を実行する。
【０１６６】
Ｅ３０１：ゲートウェイ機器（ＰＧＷ）は、ポリシー及び課金ルール機能エンティティ（ＰＣＲＦ）によって送信されたＰＣＣメッセージ（例えば、ポリシー及び課金ルール応答（Ｐｏｌｉｃｙ  ａｎｄ  Ｃｈａｒｇｉｎｇ  Ｒｕｌｅｓ  Ｒｅｓｐｏｎｓｅ）メッセージ）を受信し、例えば、ユーザデバイスのグループＰＣＣルールの変化を取得するか、又は、ゲートウェイ機器（例えば、パケットデータネットワークゲートウェイ）は、移動管理ネットワーク要素によって送信されたメッセージを受信し（例えば、移動管理ネットワーク要素が、ベアラ修正コマンドメッセージをサービングゲートウェイに送信し、次いで、サービングゲートウェイが、ベアラ修正コマンドメッセージをパケットデータネットワークゲートウェイに送信する）、グループユーザデバイスの情報の変化（例えば、オリジナルの加入データのＡＰＮが、更新済み加入データでは使用不可能であること）を取得するか、又は、ゲートウェイ機器（例えば、パケットデータネットワークゲートウェイ又はゲートウェイＧＰＲＳサポートノード）が、構成情報の変化によって（例えば、Ｏ＆Ｍ干渉によって）、グループユーザデバイスのグループ情報の変化を取得する。
【０１６７】
Ｅ３０２：パケットデータネットワークゲートウェイは、グループユーザデバイスのベアラ無効化手順を開始し、グループユーザデバイスのコンテクストを無効化する。同一の移動管理ネットワーク要素情報と、サービングゲートウェイ情報と、パケットデータネットワークゲートウェイ情報と、グループ数情報とは、グループユーザデバイスを一意に示し得る。ベアラ無効化手順はさらに、分離手順を含んでもよい。
【０１６８】
パケットデータネットワークゲートウェイは、メッセージをサービングゲートウェイに送信する。メッセージは、ベアラ削除リクエスト（Ｄｅｌｅｔｅ  Ｂｅａｒｅｒ  Ｒｅｑｕｅｓｔ）メッセージであってもよい。実施形態は、メッセージの名称を制限するものではない。メッセージは、移動管理ネットワーク要素情報と、パケットデータネットワークゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【０１６９】
パケットデータネットワークゲートウェイは、メッセージをサービングゲートウェイに送信し、これは、複数の既存のベアラ修正リクエストメッセージが、ユーザデバイス粒度に基づいて送信されるのではなく、メッセージが、同一の移動管理ネットワーク要素情報と、サービングゲートウェイ情報と、パケットデータネットワークゲートウェイ情報と、グループ数情報とを有するグループユーザデバイスのサービングゲートウェイに送信されるということであってもよい。
【０１７０】
Ｅ３０３：サービングゲートウェイは、パケットデータサービングゲートウェイによって送信され且つステップＥ３０４で受信されたメッセージにしたがって、移動管理ネットワーク要素情報と、サービングゲートウェイ情報と、パケットデータネットワークゲートウェイ情報と、グループ数情報とを取得する。詳細については、ステップＥ２０３の実現方法を参照してもよい。
【０１７１】
サービングゲートウェイは、メッセージを移動管理ネットワーク要素に送信してもよい。メッセージは、ベアラ削除リクエスト（Ｄｅｌｅｔｅ  Ｂｅａｒｅｒ  Ｒｅｑｕｅｓｔ）メッセージであってもよい。実施形態は、メッセージの名称を制限するものではない。サービングゲートウェイによって送信されたメッセージは、パケットデータネットワークゲートウェイ情報と、サービングゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【０１７２】
Ｅ３０４：移動管理ネットワーク要素は、サービングゲートウェイによって送信され且つステップＥ３０３で受信されたメッセージにしたがって、移動管理ネットワーク要素情報と、サービングゲートウェイ情報と、パケットデータネットワークゲートウェイ情報と、グループ数情報とを取得する。詳細については、ステップＥ２０４の実現方法を参照してもよい。
【０１７３】
移動管理ネットワーク要素は、取得した情報にしたがって、移動管理ネットワーク要素を介してアクセスを実行するグループユーザデバイスのコンテクスト情報を無効化する。具体的な方法は、以下のとおりであり得る。移動管理ネットワーク要素は、移動管理ネットワーク要素情報と、サービングゲートウェイ情報と、パケットデータネットワークゲートウェイ情報と、グループ数情報とを有する（記憶する）グループユーザデバイスコンテクスト、又は、サービングゲートウェイによって送信され且つステップＥ３０３で受信されたメッセージにしたがって移動管理ネットワーク要素によって取得されたサービングゲートウェイ情報と、パケットデータネットワークゲートウェイ情報と、グループ数情報とを有する（記憶する）グループユーザデバイスコンテクストを無効化する。
【０１７４】
移動管理ネットワーク要素は、メッセージをサービングゲートウェイに送信して、ベアラの無効化が完了したことを確認してもよい。メッセージは、ベアラ削除応答（Ｄｅｌｅｔｅ  Ｂｅａｒｅｒ  Ｒｅｓｐｏｎｓｅ）メッセージであってもよい。実施形態は、メッセージの名称を制限するものではない。メッセージは、移動管理ネットワーク要素情報と、パケットデータネットワークゲートウェイ情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【０１７５】
Ｅ３０５：サービングゲートウェイは、移動管理ネットワーク要素によって送信され且つステップＥ３０４で受信されたメッセージにしたがって、移動管理ネットワーク要素情報と、サービングゲートウェイ情報と、パケットデータネットワークゲートウェイ情報と、グループ数情報とを取得する。詳細については、ステップＥ２０５の実現方法を参照してもよい。
【０１７６】
サービングゲートウェイは、取得した情報にしたがって、サービングゲートウェイを介してアクセスを実行するグループユーザデバイスのコンテクスト情報を無効化する。具体的な方法は、以下のとおりであり得る。サービングゲートウェイは、移動管理ネットワーク要素情報と、サービングゲートウェイ情報と、パケットデータネットワークゲートウェイ情報と、グループ数情報とを有する（記憶する）グループユーザデバイスコンテクスト、又は、パケットデータサービングゲートウェイによって送信され且つステップＥ２０４で受信されたメッセージにしたがってサービングゲートウェイによって取得された移動管理ネットワーク要素情報と、パケットデータネットワークゲートウェイ情報と、グループ数情報とを有する（記憶する）グループユーザデバイスコンテクストを無効化する。
【０１７７】
サービングゲートウェイは、メッセージをパケットデータネットワークゲートウェイに送信して、ベアラの無効化が完了したことを通知する。メッセージは、ベアラ削除応答（Ｄｅｌｅｔｅ  Ｂｅａｒｅｒ  Ｒｅｓｐｏｎｓｅ）メッセージであってもよい。実施形態は、メッセージの名称を制限するものではない。サービングゲートウェイによって送信されたメッセージは、サービングゲートウェイ情報と、移動管理ネットワーク要素情報と、グループ数情報とを含んでもよく、又は、移動管理ネットワーク要素情報と、サービングゲートウェイ情報と、パケットデータネットワークゲートウェイ情報と、グループ数情報とを含んでもよく、実施形態によって制限されない。
【０１７８】
Ｅ３０６：パケットデータネットワークゲートウェイは、サービングゲートウェイによって送信され且つステップＥ３０５で受信されたメッセージにしたがって、移動管理ネットワーク要素情報と、サービングゲートウェイ情報と、パケットデータネットワークゲートウェイ情報と、グループ数情報とを取得する。詳細については、ステップＥ２０６の実現方法を参照してもよい。
【０１７９】
パケットデータネットワークゲートウェイは、取得した情報にしたがって、パケットデータネットワークゲートウェイを介してアクセスを実行するグループユーザデバイスのコンテクスト情報を無効化する。具体的な方法は、以下のとおりであり得る。パケットデータネットワークゲートウェイは、移動管理ネットワーク要素情報と、サービングゲートウェイ情報と、パケットデータネットワークゲートウェイ情報と、グループ数情報とを有する（記憶する）グループユーザデバイスコンテクスト、又は、サービングゲートウェイによって送信され且つステップＥ３０５で受信されたメッセージにしたがってパケットデータネットワークゲートウェイによって取得された移動管理ネットワーク要素情報と、サービングゲートウェイ情報と、グループ数情報とを有する（記憶する）グループユーザデバイスコンテクストを無効化する。
【０１８０】
＜第６の実施形態＞
本発明の実施形態は、Ｍ２Ｍアプリケーションに基づいたセッション管理方法を提供し、図６を参照すると、手順は、具体的に以下を含み得る。
【０１８１】
Ｆ１：ゲートウェイ機器が、グループユーザデバイスの移動管理ネットワーク要素情報及びグループ数情報を取得する。
【０１８２】
本プロセスにおいて、移動管理ネットワーク要素もまた、グループユーザデバイスのゲートウェイ機器情報及びグループ数情報を取得し得る。移動管理ネットワーク要素情報及びグループ数情報、並びにゲートウェイ機器情報及びグループ数情報の表記方法について、第１の実施形態のステップＡ１０１の説明を参照してもよい。移動管理ネットワーク要素は、グループユーザデバイスのゲートウェイ機器情報及びグループ数情報を取得し、ゲートウェイ機器は、グループユーザデバイスの移動管理ネットワーク要素情報及びグループ数情報を取得し、詳細については、第３の実施形態のステップＣ１の実現方法を参照してもよい。
【０１８３】
Ｆ２：グループユーザデバイスのグループ情報の変化を取得すると、グループユーザデバイスのゲートウェイ機器情報及びグループ数情報にしたがって、ゲートウェイ機器は、移動管理ネットワーク要素に、グループユーザデバイスに対してＰＤＰコンテクスト変更処理を実行するように命令し、グループユーザデバイスに対してＰＤＰコンテクスト変更処理を実行する。
【０１８４】
グループユーザデバイスの移動管理ネットワーク要素情報及びグループ数情報にしたがって、ゲートウェイ機器は、移動管理ネットワーク要素に、グループユーザデバイスに対してＰＤＰコンテクスト変更処理を実行するように命令し、グループユーザデバイスに対してＰＤＰコンテクスト変更処理を実行する。ＰＤＰコンテクスト変更処理は、ＰＤＰコンテクスト修正手順を含んでもよく、又はＰＤＰコンテクスト無効化手順を含んでもよい。具体的な手順は、以下を含み得る。
【０１８５】
手順１：ゲートウェイ機器は、グループユーザデバイスのグループ情報の変化を取得し、移動管理ネットワーク要素に、グループユーザデバイスに対してＰＤＰコンテクスト修正を実行するように命令し、グループユーザデバイスに対してＰＤＰコンテクスト修正を実行する。
【０１８６】
Ｆ２０１：ゲートウェイ機器（ＧＧＳＮ）は、ポリシー及び課金ルール機能エンティティ（ＰＣＲＦ）によって送信されたＰＣＣメッセージ（例えば、ポリシー及び課金ルール応答（Ｐｏｌｉｃｙ  ａｎｄ  Ｃｈａｒｇｉｎｇ  Ｒｕｌｅｓ  Ｒｅｓｐｏｎｓｅ）メッセージ）を取得し、グループユーザデバイスのＰＣＣルールの変化を取得するか、又は、ゲートウェイ機器は、移動管理ネットワーク要素によって送信されたメッセージを受信し（例えば、移動管理ネットワーク要素は、ベアラ更新コマンドメッセージをゲートウェイ機器に送信する）、グループユーザデバイスの情報の変化（例えば、グループＱｏＳ情報の変化）を取得するか、又は、ゲートウェイ機器は、構成情報の変化によって（例えば、Ｏ＆Ｍ干渉によって）、グループユーザデバイスのグループ情報の変化を取得する。
【０１８７】
Ｆ２０２：ネットワーク機器（ゲートウェイＧＰＲＳサポートノード）が、グループユーザデバイスのＰＤＰコンテクスト修正手順を開始し、グループユーザデバイスのＰＤＰコンテクストを修正する。同一の移動管理ネットワーク要素情報と、同一のゲートウェイＧＰＲＳサポートノード情報と、同一のグループ数情報とは、グループユーザデバイスを一意に示し得る。
【０１８８】
ゲートウェイＧＰＲＳサポートノードは、メッセージを移動管理ネットワーク要素に送信し、ＰＤＰコンテクストの更新をリクエストする。メッセージは、ＰＤＰコンテクスト更新リクエスト（Ｕｐｄａｔｅ  ＰＤＰ  Ｃｏｎｔｅｘｔ  Ｒｅｑｕｅｓｔ）メッセージであってもよい。実施形態は、メッセージの名称を制限するものではない。メッセージは、ゲートウェイＧＰＲＳサポートノード情報及びグループ数情報を含んでもよく、又は、移動管理ネットワーク要素情報と、ゲートウェイＧＰＲＳサポートノード情報と、グループ数情報とを含んでもよく、実施形態によって制限されない。
【０１８９】
ゲートウェイＧＰＲＳサポートノードは、メッセージを移動管理ネットワーク要素に送信し、これは、複数の既存のＰＤＰコンテクスト更新リクエストメッセージが、ユーザデバイス粒度に基づいて送信されるのではなく、メッセージが、同一の移動管理ネットワーク要素情報と、ゲートウェイＧＰＲＳサポートノード情報と、グループ数情報とを有するグループユーザデバイスのゲートウェイＧＰＲＳサポートノードに送信されるということであってもよい。
【０１９０】
Ｆ２０３：移動管理ネットワーク要素は、ゲートウェイＧＰＲＳサポートノードによって送信され且つステップＦ２０２で受信されたメッセージにしたがって、移動管理ネットワーク要素情報と、ゲートウェイＧＰＲＳサポートノード情報と、グループ数情報とを取得し、これは以下によって具体的に実現し得る。
【０１９１】
受信したメッセージが、ゲートウェイＧＰＲＳサポートノード情報及びグループ数情報のみを含む場合、移動管理ネットワーク要素は、このメッセージから、ゲートウェイＧＰＲＳサポートノード情報及びグループ数情報を取得し得る。加えて、移動管理ネットワーク要素は、取得したゲートウェイＧＰＲＳサポートノード情報及びグループ数情報にしたがって、移動管理ネットワーク要素を介してアクセスを実行する全ユーザデバイスのコンテクストにあるゲートウェイＧＰＲＳサポートノード情報及びグループ数情報を照合し得る。照合されると、移動管理ネットワーク要素は、ユーザデバイスコンテクスト情報にしたがって自身の情報（移動管理ネットワーク要素情報）を取得し得る。
【０１９２】
あるいはまた、受信したメッセージが、移動管理ネットワーク要素情報と、ゲートウェイＧＰＲＳサポートノード情報と、グループ数情報とを含む場合、移動管理ネットワーク要素は、このメッセージから、移動管理ネットワーク要素情報と、ゲートウェイＧＰＲＳサポートノード情報と、グループ数情報とを取得し得る。
【０１９３】
移動管理ネットワーク要素は、取得した情報にしたがって、移動管理ネットワーク要素を介してアクセスを実行するグループユーザデバイスのＰＤＰコンテクスト情報を更新する。具体的な方法は、以下のとおりであり得る。移動管理ネットワーク要素は、ゲートウェイＧＰＲＳサポートノード情報及びグループ数情報を有する（記憶する）グループユーザデバイスＰＤＰコンテクスト、又は、ゲートウェイＧＰＲＳサポートノードによって送信され且つステップＦ２０２で受信されたメッセージにしたがって移動管理ネットワーク要素によって取得された移動管理ネットワーク要素情報と、ゲートウェイＧＰＲＳサポートノード情報と、グループ数情報とを有する（記憶する）グループユーザデバイスＰＤＰコンテクストを更新する。
【０１９４】
移動管理ネットワーク要素は、メッセージをゲートウェイＧＰＲＳサポートノードに送信し、ＰＤＰコンテクストの更新が完了したことを通知する。メッセージは、ＰＤＰコンテクスト更新応答（Ｕｐｄａｔｅ  ＰＤＰ  Ｃｏｎｔｅｘｔ  Ｒｅｓｐｏｎｓｅ）メッセージであってもよい。実施形態は、メッセージの名称を制限するものではない。移動管理ネットワーク要素によって送信されたメッセージは、移動管理ネットワーク要素情報及びグループ数情報を含んでもよく、又は、移動管理ネットワーク要素情報と、ゲートウェイＧＰＲＳサポートノード情報と、グループ数情報とを含んでもよく、実施形態によって制限されない。
【０１９５】
Ｆ２０４：ゲートウェイＧＰＲＳサポートノードは、移動管理ネットワーク要素によって送信され且つステップＦ２０３で受信されたメッセージにしたがって、移動管理ネットワーク要素情報と、ゲートウェイＧＰＲＳサポートノード情報と、グループ数情報とを取得し、これは、以下によって具体的に実現し得る。
【０１９６】
受信したメッセージが、移動管理ネットワーク要素情報及びグループ数情報のみを含む場合、ゲートウェイＧＰＲＳサポートノードは、このメッセージから、移動管理ネットワーク要素情報及びグループ数情報を取得し得る。加えて、ゲートウェイＧＰＲＳサポートノードはさらに、移動管理ネットワーク要素情報及びグループ数情報にしたがって、ゲートウェイＧＰＲＳサポートノードを介してアクセスを実行する全ユーザデバイスのコンテクストにある移動管理ネットワーク要素情報及びグループ数情報を照合し得る。照合されると、ゲートウェイＧＰＲＳサポートノードは、ユーザデバイスコンテクスト情報に従って自身の情報（ゲートウェイＧＰＲＳサポートノード情報）を取得し得る。
【０１９７】
あるいはまた、受信したメッセージが、移動管理ネットワーク要素情報と、ゲートウェイＧＰＲＳサポートノード情報と、グループ数情報とを含む場合、ゲートウェイＧＰＲＳサポートノードは、このメッセージから、移動管理ネットワーク要素情報と、ゲートウェイＧＰＲＳサポートノード情報と、グループ数情報とを取得し得る。
【０１９８】
ゲートウェイＧＰＲＳサポートノードは、取得した情報にしたがって、ゲートウェイＧＰＲＳサポートノードを介してアクセスを実行するグループユーザデバイスのＰＤＰコンテクスト情報を更新する。具体的な方法は、以下のとおりであり得る。ゲートウェイＧＰＲＳサポートノードは、移動管理ネットワーク要素情報及びグループ数情報を有する（記憶する）グループユーザデバイスＰＤＰコンテクスト、又は、移動管理ネットワーク要素によって送信され且つステップＦ２０３で受信されたメッセージにしたがってゲートウェイＧＰＲＳサポートノードによって取得された移動管理ネットワーク要素情報と、ゲートウェイＧＰＲＳサポートノード情報と、グループ数情報とを有する（記憶する）グループユーザデバイスＰＤＰコンテクストを更新する。
【０１９９】
手順２：グループユーザデバイスのグループ情報の変化を取得し、移動管理ネットワーク要素に、グループユーザデバイスに対してＰＤＰコンテクスト無効化を実行するように命令し、グループユーザデバイスに対してＰＤＰコンテクスト無効化を実行する。
【０２００】
Ｆ３０１：ゲートウェイ機器（ＧＧＳＮ）は、ポリシー及び課金ルール機能エンティティ（ＰＣＲＦ）によって送信されたＰＣＣメッセージ（例えば、Ｐｏｌｉｃｙ  ａｎｄ  Ｃｈａｒｇｉｎｇ  Ｒｕｌｅｓ  Ｒｅｓｐｏｎｓｅメッセージ）を取得し、グループユーザデバイスのＰＣＣルールの変化を取得するか、又は、ゲートウェイ機器は、移動管理ネットワーク要素によって送信されたメッセージを受信し（例えば、移動管理ネットワーク要素は、ベアラ更新コマンドメッセージをゲートウェイ機器に送信する）、グループユーザデバイスの情報の変化（例えば、グループＱｏＳ情報の変化）を取得するか、又は、ゲートウェイ機器は、構成情報の変化によって（例えばＯ＆Ｍ干渉によって）、グループユーザデバイスのグループ情報の変化を取得する。
【０２０１】
Ｆ３０２：ネットワーク機器（ゲートウェイＧＰＲＳサポートノード）は、グループユーザデバイスのＰＤＰコンテクスト無効化手順を開始し、グループユーザデバイスのＰＤＰコンテクストを無効化する。同一の移動管理ネットワーク要素情報と、ゲートウェイＧＰＲＳサポートノード情報と、グループ数情報とは、グループユーザデバイスを一意に示し得る。
【０２０２】
ゲートウェイＧＰＲＳサポートノードは、メッセージを移動管理ネットワーク要素に送信して、ＰＤＰコンテクストの無効化をリクエストする。メッセージは、ＰＤＰコンテクスト削除リクエスト（Ｄｅｌｅｔｅ  ＰＤＰ  Ｃｏｎｔｅｘｔ  Ｒｅｑｕｅｓｔ）メッセージであってもよい。実施形態は、メッセージの名称を制限するものではない。メッセージは、ゲートウェイＧＰＲＳサポートノード情報及びグループ数情報を含んでもよく、又は、移動管理ネットワーク要素情報と、ゲートウェイＧＰＲＳサポートノード情報と、グループ数情報とを含んでもよく、実施形態によって制限されない。
【０２０３】
ゲートウェイＧＰＲＳサポートノードは、メッセージを移動管理ネットワーク要素に送信し、これは、複数の既存のＰＤＰコンテクスト削除リクエストメッセージが、ユーザデバイス粒度に基づいて送信されるのではなく、メッセージが、同一の移動管理ネットワーク要素情報と、ゲートウェイＧＰＲＳサポートノード情報と、グループ数情報とを有するグループユーザデバイスのゲートウェイＧＰＲＳサポートノードに送信されるということであってもよい。
【０２０４】
Ｆ３０３：移動管理ネットワーク要素は、ゲートウェイＧＰＲＳサポートノードによって送信され且つステップＦ３０２で受信されたメッセージにしたがって、移動管理ネットワーク要素情報と、ゲートウェイＧＰＲＳサポートノード情報と、グループ数情報とを取得する。詳細については、ステップＦ２０３の実現方法を参照してもよい。
【０２０５】
移動管理ネットワーク要素は、取得した情報にしたがって、移動管理ネットワーク要素を介してアクセスを実行するグループユーザデバイスのＰＤＰコンテクスト情報を無効化する。具体的な方法は、以下のとおりであり得る。移動管理ネットワーク要素は、ゲートウェイＧＰＲＳサポートノード情報及びグループ数情報を有する（記憶する）グループユーザデバイスＰＤＰコンテクスト、又は、ゲートウェイＧＰＲＳサポートノードによって送信され且つステップＦ２０２で受信されたメッセージにしたがって移動管理ネットワーク要素によって取得された移動管理ネットワーク要素情報と、ゲートウェイＧＰＲＳサポートノード情報と、グループ数情報とを有する（記憶する）グループユーザデバイスＰＤＰコンテクストを無効化する。
【０２０６】
移動管理ネットワーク要素は、メッセージをゲートウェイＧＰＲＳサポートノードに送信して、ＰＤＰコンテクストの無効化が完了したことを通知する。メッセージは、ＰＤＰコンテクスト削除応答（Ｄｅｌｅｔｅ  ＰＤＰ  Ｃｏｎｔｅｘｔ  Ｒｅｓｐｏｎｓｅ）メッセージであってもよい。実施形態は、メッセージの名称を制限するものではない。移動管理ネットワーク要素によって送信されたメッセージは、移動管理ネットワーク要素情報及びグループ数情報を含んでもよく、又は、移動管理ネットワーク要素情報と、ゲートウェイＧＰＲＳサポートノードと、グループ数情報とを含んでもよく、実施形態によって制限されない。
【０２０７】
Ｆ３０４：ゲートウェイＧＰＲＳサポートノードは、移動管理ネットワーク要素によって送信され且つステップＦ３０３で受信されたメッセージにしたがって、移動管理ネットワーク要素情報と、ゲートウェイＧＰＲＳサポートノード情報と、グループ数情報とを取得する。詳細については、ステップＦ２０４の実現方法を参照してもよい。
【０２０８】
ゲートウェイＧＰＲＳサポートノードは、取得した情報にしたがって、ゲートウェイＧＰＲＳサポートノードを介してアクセスを実行するグループユーザデバイスのＰＤＰコンテクスト情報を無効化する。具体的な方法は、以下のとおりであり得る。ゲートウェイＧＰＲＳサポートノードは、移動管理ネットワーク要素情報及びグループ数情報を有する（記憶する）グループユーザデバイスＰＤＰコンテクスト、又は、移動管理ネットワーク要素によって送信され且つステップＦ２０３で受信されたメッセージにしたがってゲートウェイＧＰＲＳサポートノードによって取得された移動管理ネットワーク要素情報と、ゲートウェイＧＰＲＳサポートノード情報と、グループ数情報とを有する（記憶する）グループユーザデバイスＰＤＰコンテクストを無効化する。
【０２０９】
したがって、本発明の実施形態はさらに、Ｍ２Ｍアプリケーションに基づいたセッション管理システムを提供し、このシステムは、図７に示された構造、つまり、移動管理ネットワーク要素７０１及びゲートウェイ機器７０２を含む。
【０２１０】
移動管理ネットワーク要素７０１は、グループユーザデバイスのゲートウェイ機器情報及びグループ数情報を取得し、グループユーザデバイスのグループ情報の変化を取得し、グループユーザデバイスのゲートウェイ機器情報及びグループ数情報にしたがって、ゲートウェイ機器７０２に、グループユーザデバイスに対してベアラ変更処理を実行するように命令し、グループユーザデバイスに対してベアラ変更処理を実行するように構成されている。
【０２１１】
ゲートウェイ機器７０２は、グループユーザデバイスの移動管理ネットワーク要素情報及びグループ数情報を取得し、グループユーザデバイスのグループ情報の変化を取得し、グループユーザデバイスの移動管理ネットワーク要素情報及びグループ数情報にしたがって、移動管理ネットワーク要素７０１に、グループユーザデバイスに対してベアラ変更処理を実行するように命令し、グループユーザデバイスに対してベアラ変更処理を実行するように構成されている。
【０２１２】
実施形態によって提供されたＭ２Ｍアプリケーションに基づいたセッション管理システムは、本発明の実施形態によって提供されたＭ２Ｍアプリケーションに基づいたセッション管理方法を実行するために使用し得る。システムがセッション管理を実行するプロセスについて、本発明の実施形態によって提供されたＭ２Ｍアプリケーションに基づいたセッション管理方法を参照してもよい。
【０２１３】
実施形態によって提供されたＭ２Ｍアプリケーションに基づいたセッション管理システムにおいて、システムにおけるＭ２Ｍグループの共有加入データが更新されると、Ｍ２Ｍグループの関連情報は、グループユーザデバイスに予め割り当てられたネットワーク機器リソース割当識別子情報にしたがって、且つグループ粒度に基づいて、統一的に更新し得るので、ネットワーク側のシグナリング輻輳を削減することによって、ネットワーク負荷を削減することができる。
【０２１４】
さらに、本発明の実施形態は移動管理ネットワーク要素をさらに提供する。移動管理ネットワーク要素は、図８に示されている構造、つまり、第１の取得部８０１と、第２の取得部８０２と、第１の命令部８０３と、第１の実行部８０４とを含む。
【０２１５】
第１の取得部８０１は、グループユーザデバイスのゲートウェイ機器情報及びグループ数情報を取得するように構成されている。
【０２１６】
第２の取得部８０２は、グループユーザデバイスのグループ情報の変化を取得するように構成されている。
【０２１７】
第１の命令部８０３は、グループユーザデバイスのゲートウェイ機器情報及びグループ数情報にしたがって、ゲートウェイ機器に、グループユーザデバイスに対してベアラ変更処理を実行するように命令するように構成されている。
【０２１８】
第１の実行部８０４は、グループユーザデバイスに対してベアラ変更処理を実行するように構成されている。
【０２１９】
実施形態によって提供された移動管理ネットワーク要素は、本発明の実施形態によって提供されたＭ２Ｍアプリケーションに基づいたセッション管理方法を実行するように構成されてもよい。移動管理ネットワーク要素がセッション管理を実行するプロセスについて、本発明の実施形態によって提供されたＭ２Ｍアプリケーションに基づいたセッション管理方法を参照してもよい。
【０２２０】
実施形態によって提供された移動管理ネットワーク要素において、システム内のＭ２Ｍグループの共有加入データが更新されると、Ｍ２Ｍグループの関連情報が、グループユーザデバイスに予め割り当てられたネットワーク機器リソース割当識別子情報にしたがって、且つグループ粒度に基づいて、統一的に更新し得るので、ネットワーク側のシグナリング輻輳を削減することによって、ネットワーク負荷を削減することができる。
【０２２１】
最後に、本発明の実施形態はさらにゲートウェイ機器を提供する。ゲートウェイ機器は、図９に示されている構造、つまり、第３の取得部９０１と、第４の取得部９０２と、第２の命令部９０３と、第２の実行部９０４とを含む。
【０２２２】
第３の取得部９０１は、グループユーザデバイスの移動管理ネットワーク要素情報及びグループ数情報を取得するように構成されている。
【０２２３】
第４の取得部９０２は、グループユーザデバイスのグループ情報の変化を取得するように構成されている。
【０２２４】
第２の命令部９０３は、グループユーザデバイスの移動管理ネットワーク要素情報及びグループ数情報にしたがって、移動管理ネットワーク要素に、グループユーザデバイスに対してベアラ変更処理を実行するように命令するように構成されている。
【０２２５】
第２の実行部９０４は、グループユーザデバイスに対してベアラ変更処理を実行するように構成されている。
【０２２６】
実施形態によって提供されたゲートウェイ機器は、本発明の実施形態によって提供されたＭ２Ｍアプリケーションに基づいたセッション管理方法を実行するように構成されてもよい。ゲートウェイ機器がセッション管理を実行するプロセスについて、本発明の実施形態によって提供されたＭ２Ｍアプリケーションに基づいたセッション管理方法を参照してもよい。
【０２２７】
実施形態によって提供されたゲートウェイ機器において、システムにおけるＭ２Ｍグループの共有加入データが更新されると、Ｍ２Ｍグループの関連情報は、グループユーザデバイスのグループ識子情報と、グループユーザデバイスに予め割り当てられたネットワーク識別子情報とにしたがって、且つグループ粒度に基づいて、統一的に更新し得るので、ネットワーク側のシグナリング輻輳を削減することによって、ネットワーク負荷を削減することができる。
【０２２８】
当業者は、上記方法の実施形態におけるステップの全部又は一部がプログラム命令関連ハードウェアによって実現されてもよいことを理解するはずである。上記プログラムはコンピュータ読み取り可能な記憶媒体に記憶してもよい。プログラムが実行されると、上記方法の実施形態のステップが実行される。記憶媒体は、ＲＯＭ（Ｒｅａｄ−Ｏｎｌｙ  Ｍｅｍｏｒｙ、リードオンリーメモリ）、ＲＡＭ（Ｒａｎｄｏｍ  Ａｃｃｅｓｓ  Ｍｅｍｏｒｙ、ランダムアクセスメモリ）、磁気ディスク及び光学ディスクなどの、プログラムコードを記憶可能な任意の媒体を含む。
【０２２９】
開示された実施形態に関する上記説明によって当業者は本発明を実現又は使用することができる。これらの実施形態に対する複数の変更は当業者に明らかである。本発明に定義されている一般原理は、本発明の範囲から逸脱することなく他の実施形態で実現可能である。したがって、本発明は、本書に説明されている実施形態に制限されず、本書に説明されている原理及び新規性と矛盾しない範囲に適用される。
【図１】
0005603436.tif 000002
【図２】
0005603436.tif 000003
【図３】
0005603436.tif 000004
【図４】
0005603436.tif 000005
【図５】
0005603436.tif 000006
【図６】
0005603436.tif 000007
【図７】
0005603436.tif 000008
【図８】
0005603436.tif 000009
【図９】
0005603436.tif 000010